(57)【特許請求の範囲】
【請求項１】
生体情報又は生体の活動情報を測定する測定装置の測定情報を管理可能な情報管理装置であって、
前記測定情報を取得する取得部と、
前記測定情報及び前記測定情報に関する目標情報を表示部に表示させる制御部と、を備え、
前記制御部は、前記測定情報及び前記目標情報と共に、前記測定情報と前記目標情報とに基づく達成度情報を併せて表示可能で、前記達成度情報は、達成度に応じて数が変化する図形を含んでおり、前記達成度が前記図形を表示する閾値未満であっても０％より高ければ、前記図形を１つ表示することを特徴とする情報管理装置。
【請求項２】
前記制御部は、前記測定情報が前記達成状態にある場合に、前記図形を変化させることを特徴とする、請求項１に記載の情報管理装置。
【請求項３】
前記制御部は、所定期間内での前記測定情報を示すグラフと共に前記目標情報を表示することを特徴とする、請求項１又は２に記載の情報管理装置。
【請求項４】
生体情報又は生体の活動情報を測定する測定装置の測定情報を取得するステップと、
前記測定情報及び前記測定情報に関する目標情報に基づく達成度情報を導出するステップと、
前記測定情報、前記目標情報、及び前記達成度情報を併せて表示部に表示するステップと、を含み、
前記達成度情報は、達成度に応じて数が変化する図形を含んでおり、前記達成度が前記図形を表示する閾値未満であっても０％より高ければ、前記表示部に前記図形を１つ表示することを特徴とする情報管理方法。
【請求項５】
コンピュータを、
生体情報又は生体の活動情報を測定する測定装置の測定情報を取得する取得手段、
前記測定情報及び前記測定情報に関する目標情報に基づく達成度情報を導出する導出手段、及び
前記測定情報、前記目標情報、及び前記達成度情報を併せて表示部に表示する表示手段、として機能させ、
前記達成度情報は、達成度に応じて数が変化する図形を含んでおり、前記達成度が前記図形を表示する閾値未満であっても０％より高ければ、前記表示部に前記図形を１つ表示するための情報管理プログラム。
【発明の詳細な説明】
【技術分野】
【０００１】
本発明は、情報管理装置、情報管理方法及び情報管理プログラムに関し、特に、生体情報又は生体の活動情報を測定する測定装置の測定情報を管理可能な情報管理装置、情報管理方法及び情報管理プログラムに関する。
【背景技術】
【０００２】
従来から、患者が自宅で自己の血糖値を測定できるように携帯型の血糖計が用いられている。このような測定装置では、多くの測定情報を取得することができる。そのため、医師等の医療従事者が、取得された多くの測定情報を効率的に利用可能にする情報管理装置が提案されている（特許文献１参照）。
【先行技術文献】
【特許文献】
【０００３】
【特許文献１】特開２０１０−８２００９号公報
【発明の概要】
【発明が解決しようとする課題】
【０００４】
特許文献１に記載の血糖値情報処理装置（情報管理装置）によれば、患者が自宅で測定した測定情報をグラフ化等することができるため、医療従事者による測定情報の効率的な利用が促進される。また、患者と医療従事者とが、グラフ化等された測定情報を一緒に確認しながら、現状や今後の改善案などを話し合うことができる点においても有益である。
【０００５】
しかしながら、実際に血糖計等の測定装置を利用している患者は、測定情報のみを確認しても、直ちに自己が改善に向かっているか否か等が分からない場合があり、改善のための努力を途中で止めてしまうことがある。
【０００６】
本発明の目的は、改善に向かう行為を継続して実行する意欲を患者に誘起できる情報管理装置、情報管理方法及び情報管理プログラムを提供することである。
【課題を解決するための手段】
【０００７】
本発明の第１の態様としての情報管理装置は、生体情報又は生体の活動情報を測定する測定装置の測定情報を管理可能な情報管理装置であって、前記測定情報を取得する取得部と、前記測定情報及び前記測定情報に関する目標情報を表示部に表示させる制御部と、を備え、前記制御部は、前記測定情報及び前記目標情報と共に、前記測定情報と前記目標情報とに基づく達成度情報を併せて表示可能であることを特徴とするものである。
【０００８】
本発明の１つの実施形態として、前記達成度情報は、達成度に応じて、数、大きさ又は着色比率が変化する図形を含むことが好ましい。
【０００９】
本発明の１つの実施形態として、前記制御部は、前記測定情報が前記目標情報を満たす達成状態にある前記図形を、前記達成度にかかわらず参照表示することが好ましい。
【００１０】
本発明の１つの実施形態として、前記制御部は、前記測定情報が前記達成状態にある場合に、前記図形を変化させることが好ましい。
【００１１】
本発明の１つの実施形態として、前記図形は、人に称賛されている印象を誘起する図案であることが好ましい。
【００１２】
本発明の１つの実施形態として、前記制御部は、所定期間内での前記測定情報を示すグラフと共に前記目標情報を表示することが好ましい。
【００１３】
本発明の第２の態様としての情報管理方法は、生体情報又は生体の活動情報を測定する測定装置の測定情報を取得するステップと、前記測定情報及び前記測定情報に関する目標情報に基づく達成度情報を導出するステップと、前記測定情報、前記目標情報、及び前記達成度情報を併せて表示部に表示するステップと、を含むことを特徴とするものである。
【００１４】
本発明の第３の態様としての情報管理プログラムは、コンピュータを、生体情報又は生体の活動情報を測定する測定装置の測定情報を取得する取得手段、前記測定情報及び前記測定情報に関する目標情報に基づく達成度情報を導出する導出手段、及び前記測定情報、前記目標情報、及び前記達成度情報を併せて表示部に表示する表示手段、として機能させるためのものである。
【発明の効果】
【００１５】
本発明によれば、改善に向かう行為を継続して実行する意欲を患者に誘起できる情報管理装置、情報管理方法及び情報管理プログラムを提供することができる。
【図面の簡単な説明】
【００１６】
【図１】本発明の一実施形態である情報管理装置を含む情報管理システムの概要を示す図である。
【図２】図１に示す情報管理システムの構成を示すブロック図である。
【図３】図１に示す情報管理装置の表示部を表示された画面と共に示す図である。
【図４】図１に示す情報管理装置の表示部を表示された画面と共に示す図である。
【図５】図１に示す情報管理装置の表示部を表示された画面と共に示す図である。
【図６】図１に示す情報管理装置の表示部を表示された画面と共に示す図である。
【図７】図１に示す情報管理装置の表示部を表示された画面と共に示す図である。
【図８Ａ】図１に示す情報管理装置の表示部を表示された画面と共に示す図である。
【図８Ｂ】図１に示す情報管理装置の表示部を表示された画面と共に示す図である。
【図９】図１に示す情報管理装置の表示部を表示された画面と共に示す図である。
【図１０】図１に示す情報管理装置の表示部を表示された画面と共に示す図である。
【図１１】図１に示す情報管理装置の表示部を表示された画面と共に示す図である。
【図１２】図１に示す情報管理装置の表示部を表示された画面と共に示す図である。
【図１３】図１に示す情報管理装置の表示部を表示された画面と共に示す図である。
【図１４】図１に示す情報管理装置の表示部を表示された画面と共に示す図である。
【図１５】図１に示す情報管理装置の表示部を表示された画面と共に示す図である。
【図１６】図１に示す情報管理装置の表示部を表示された画面と共に示す図である。
【図１７】図１に示す情報管理装置の情報管理方法を示すフローチャート図である。
【発明を実施するための形態】
【００１７】
以下、本発明に係る情報管理装置、情報管理方法及び情報管理プログラムの実施形態について、図１〜図１７を参照して説明する。なお、各図において共通の部材には、同一の符号を付している。
【００１８】
図１は、本発明に係る情報管理装置の実施形態としての情報管理装置１を含む情報管理システム１００の概要を示す図である。
【００１９】
図１に示すように、情報管理システム１００は、情報管理装置１と、プリンタ２と、測定装置３と、情報記憶装置４と、を備えている。
【００２０】
情報管理装置１は、例えばＵＳＢ（Universal Serial Busの略）ケーブル等を介してプリンタ２と有線接続されており、プリンタ２と通信可能である。また、情報管理装置１は、測定装置３及び情報記憶装置４と有線通信又は無線通信することができる。なお、図１では、情報管理装置１が測定装置３及び情報記憶装置４と無線通信する例を示している。
【００２１】
測定装置３は、血糖計９０、血圧計９１、体組成計９２、体温計９３、運動量等を測定する歩行強度計９４（活動量計）、動脈血酸素飽和度を測定するパルスオキシメータ９５など、生体情報又は生体の活動情報を測定可能な装置である。情報管理装置１は、これら多種多様な測定装置３により測定された測定情報を、測定装置３や情報記憶装置４から取得し、一元管理することが可能である。
【００２２】
情報記憶装置４は、例えばＩＣカード（Integrated Circuit cardの略）など、測定装置３の測定情報を取得及び記憶可能なものである。情報記憶装置４は、例えばそれ自体の持ち運びが困難な測定装置３から測定情報を取得し、その測定情報を記憶することにより、測定情報の持ち運びを実現可能にする。具体的に、情報記憶装置４は、測定装置３と有線通信又は無線通信（図１では無線通信を例示）することにより、測定装置３の測定情報を受信及び記憶することができる。また、情報記憶装置４は、情報管理装置１と有線通信又は無線通信することにより、記憶した測定装置３の測定情報を情報管理装置１に送信することができる。
【００２３】
なお、情報記憶装置４は、上述した測定装置３としての血糖計９０、血圧計９１、体組成計９２、体温計９３、歩行強度計９４、及びパルスオキシメータ９５の測定情報を受信及び記憶することができるが、図１では、血糖計９０及び歩行強度計９４は、情報記憶装置４を介することなく情報管理装置１に測定情報を送信する例を示し、血圧計９１、体組成計９２、体温計９３、及びパルスオキシメータ９５は、情報記憶装置４に測定情報を送信し、情報記憶装置４から情報管理装置１に測定情報を送信する例を示している。
【００２４】
このように、図１に示す情報管理システム１００では、測定装置３により測定された測定情報を、測定装置３から情報管理装置１に直接的又は情報記憶装置４を介して間接的に供給することができ、情報管理装置１は、測定装置３又は情報記憶装置４から取得した測定情報を一元管理することができる。
【００２５】
なお、図１に示す情報管理システム１００におけるプリンタ２は、情報管理装置１と通信可能に接続されているが、測定装置３や情報記憶装置４と通信可能に接続されていてもよい。
【００２６】
以下、情報管理システム１００の各装置について詳細に説明する。
【００２７】
［測定装置３］
図２は、情報管理システム１００の構成を示すブロック図である。図２に示すように、測定装置３は、患者の生体情報又は活動情報を測定可能な測定部５と、この測定部５が測定した測定情報を記憶する記憶部６と、この記憶部６が記憶した測定情報を情報管理装置１又は情報記憶装置４に有線通信又は無線通信により送信可能な通信部７と、測定部５が測定した測定情報を表示する表示部８と、測定部５、記憶部６、通信部７及び表示部８に対して動作タイミングや動作の指示等を行う制御部９と、制御部９から各部への指示等を外部から入力可能な操作部１５０と、時計部１５１と、を備えている。
【００２８】
記憶部６は、例えば最大５００回分の測定情報を記憶することができ、制御部９は、測定部５により測定した測定情報を測定日時と共に記憶部６に記憶させる。また、記憶部６には、表示部８の画面デザインのプログラム、測定情報を表示部８に表示させるためのプログラムなど、測定装置３において使用されるアプリケーションを動作させるための各種プログラムが記憶されている。更に、記憶部６には、操作部１５０の操作を介して外部より入力された、測定情報に関する目標情報が記憶されている。
【００２９】
患者は、測定装置３を用いて生体情報又は生体の活動情報を測定することができると共に、その測定情報を、表示部８を通じて確認することができる。つまり、制御部９は、操作部１５０の操作により、測定部５に対して生体情報又は生体の活動情報を測定させると共に、測定部５が測定した測定情報を表示部８に表示させる。また制御部９は、測定部５により測定された測定情報を、測定日時と共に記憶部６に記憶させる。更に制御部９は、記憶部６に測定日時と関連付けられて記憶された測定情報を、通信部７から情報管理装置１又は情報記憶装置４に送信させることができる。
【００３０】
更に、通信部７は、情報管理装置１及び情報記憶装置４に対して測定情報を送信可能であることに加えて、情報管理装置１や情報記憶装置４から所定の情報を受信することができる。つまり、通信部７は、情報管理装置１及び情報記憶装置４それぞれとの間で、情報の送受信が可能である。
【００３１】
表示部８は、制御部９による各種指示に基づき、様々な情報を表示することができる。例えば、測定部５により測定された測定情報や、操作部１５０の操作に基づく各種設定画面などを表示可能である。
【００３２】
操作部１５０は、例えばボタンやタッチスクリーン等で構成され、ユーザーは、操作部１５０を操作することにより、制御部９から各部へ出される指示等を操作することができる。例えば、操作部１５０を操作することにより、測定情報に関する目標情報を設定することが可能である。具体的には、制御部９は、操作部１５０の操作により設定された目標情報を記憶部６に記憶させることができる。また制御部９は、測定部５により生体情報等が測定された際には、測定情報と目標情報とを比較し、測定情報が目標情報を達成しているか否かを判断すると共に、表示部８に判断結果を表示させることができる。
【００３３】
なお、記憶部６、通信部７、表示部８、制御部９、操作部１５０及び時計部１５１は、ＣＰＵ（Central Processing Unitの略）などのプロセッサー、メモリ、各種インターフェイス、液晶ディスプレイ、タッチスクリーン、ボタンなどを組み合わせることにより構成される。
【００３４】
［情報記憶装置４］
情報記憶装置４は、例えば、全体が扁平板状に形成された携帯型のＩＣカードであり、患者や医師等の医療従事者が容易に持ち運びすることができる。具体的に、情報記憶装置４は、測定装置３から測定情報を受信する受信部及び情報管理装置１に測定情報を送信する送信部を含む通信部１０と、測定装置３から受信した測定情報を記憶する記憶部１１と、記憶した測定情報等を表示可能な表示部１２と、通信部１０、記憶部１１、及び表示部１２に対して動作タイミングや動作の指示等を行う制御部１３と、時計部１４と、を備えている。
【００３５】
また、情報記憶装置４は、情報管理装置１に対して測定情報を送信可能であることに加えて、測定装置３に対しても所定の情報を送信可能である。更に、情報記憶装置４は、測定装置３から測定情報を受信可能であることに加えて、情報管理装置１からも所定の情報を受信することが可能である。すなわち、情報記憶装置４の通信部１０は、情報管理装置１及び測定装置３それぞれとの間で、情報の送受信が可能である。
【００３６】
記憶部１１は、情報管理装置１や測定装置３から受信した情報（例えば測定装置３から受信した測定情報）を記憶することができる。具体的に、制御部１３は、通信部１０が受信した情報を記憶部１１に記憶させる。情報記憶装置４から情報管理装置１や測定装置３に情報を送信する際には、制御部１３が、記憶部１１に記憶されている情報を読み出し、通信部１０に送信させる。
【００３７】
表示部１２は、情報管理装置１や測定装置３から受信した情報や、情報管理装置１や測定装置３との通信状況や情報の受信状況など、各種情報を表示可能である。例えば、通信部１０が測定装置３から測定情報を受信した際には、制御部１３は、測定情報を受信したことを表す表示を表示部１２に表示させる。
【００３８】
ここで、図１及び図２に示す情報記憶装置４は、測定装置３及び情報管理装置１と所謂、近距離通信が可能である。「近距離通信」の例としては、０〜１０ｃｍ程度の距離で電磁誘導による情報の送受信が可能な非接触通信技術（例えば、ＩＳＯ／ＩＥＣ  １４４４３の省電力ＩＣ通信技術、ＩＳＯ／ＩＥＣ  １８０９２の通信技術、ＦｅｌｉＣａ（ソニー（株）の登録商標））、Ｂｌｕｅｔｏｏｔｈ（Ｂｌｕｅｔｏｏｔｈ  ＳＩＧの登録商標）等が挙げられる。例えば、ＦｅｌｉＣａの通信技術では、１３．５６ＭＨｚの電波で通信し、１０ｃｍ程度までのごく近距離で非接触に１００〜４００ｋｂｐｓの通信が行なわれる。Ｂｌｕｅｔｏｏｔｈでは、２．４５ＧＨｚ帯の電波を利用し、最高２４Ｍｂｐｓの速度で通信を行うことができる。
【００３９】
図１及び図２に示す情報記憶装置４の通信部１０では、各種測定装置３から測定情報を個別に読取ることができるようにするため、０〜１０ｃｍ程度までの近距離の非接触通信技術（ＩＳＯ／ＩＥＣ  １４４４３の省電力ＩＣ通信技術，ＩＳＯ／ＩＥＣ  １８０９２の通信技術、ＦｅｌｉＣａ）が用いられている。
【００４０】
なお、情報記憶装置４は、上述した非接触通信技術に加えて、ＣＰＵなどのプロセッサー、メモリ、各種インターフェイス、液晶ディスプレイなどを組み合わせることにより構成されている。また、情報記憶装置４を、タッチスクリーンやボタン等の操作部を有する構成とすることも可能である。
【００４１】
［情報管理装置１］
次に、測定装置３の測定情報を管理可能な情報管理装置１について説明する。情報管理装置１は、ＣＰＵを含む制御部１５と、ＲＯＭ（Read Only Memoryの略）１６ａ、ＲＡＭ（Random Access Memoryの略）１６ｂ及びハードディスクドライブ１６ｃ（図２ではＨＤＤと表記）を含む記憶部１６と、ＬＣＤ（Liquid Crystal Displayの略）等で構成される表示部１７、マウス及びキーボード等で構成される操作部１８、測定装置３及び情報記憶装置４と通信可能な取得部としての通信部１９と、外部接続インターフェイス２０と、時間をカウントする時計部２１と、を備えており、これらがバスを介して接続されている。
【００４２】
この情報管理装置１は、制御部１５がＲＯＭ１６ａに格納された基本プログラムを読み出してＲＡＭ１６ｂに展開し、当該基本プログラムに従って全体を統括制御すると共に、ＲＯＭ１６ａ又はハードディスクドライブ１６ｃに格納された情報管理プログラム等の各種アプリケーションプログラムをＲＡＭ１６ｂに展開し、当該各種アプリケーションプログラムに従って各種処理を実行するようになされている。
【００４３】
情報管理装置１は、外部接続インターフェイス２０に接続されたＵＳＢケーブルを介してプリンタ２（図１参照）と接続されており、プリンタ２との間で有線通信が可能となっている。また、情報管理装置１の通信部１９は、測定装置３及び情報記憶装置４と上述した非接触通信技術により無線通信が可能である。つまり、情報管理装置１は、測定装置３及び情報記憶装置４から測定情報が送信されると、通信部１９が測定情報を受信することにより、測定情報を取得し、取得された測定情報は制御部１５によりハードディスクドライブ１６ｃに保存される。
【００４４】
このとき情報管理装置１は、多数の測定装置３から測定情報を受信することが想定されているため、例えばハードディスクドライブ１６ｃに設けられた患者名にそれぞれ対応付けられたフォルダに測定情報を記憶するようになされている。
【００４５】
制御部１５は、ユーザー（例えば医師）の操作部１８に対する操作に応じて、情報管理プログラムが選択されると、情報管理プログラムをハードディスクドライブ１６ｃから読み出してＲＡＭ１６ｂに展開し、情報管理プログラムに従って測定情報の情報処理を実行する。
【００４６】
制御部１５は、ユーザーの操作部１８に対する操作により情報管理プログラムが実行されると、スタート画面を表示部１７に表示する。スタート画面には、利用者名及びパスワードを入力させる利用者名入力欄及びパスワード入力欄と、ログインを行わせるログインボタンと、ログインを中止させるキャンセルボタンと、が表示される。
【００４７】
制御部１５は、ユーザーの操作部１８に対する操作により利用者名入力欄及びパスワード入力欄に利用者名及びパスワードが入力されてログインボタンが選択されると、予め登録された利用者名及びパスワードと一致するか否かを判断し、一致した場合、患者検索画面を表示部１７に表示させる。
【００４８】
この患者検索画面では、例えば、ハードディスクドライブ１６ｃに予め登録された患者データベースから特定の患者を検索することができる。患者検索画面には、患者データベースから特定の患者を検索するため、ユーザーが操作部１８を操作することにより患者の氏名、カナ、性別、患者ＩＤ等の識別情報を入力可能な入力欄と、制御部１５に対して、この入力欄に入力された識別情報に一致する患者の検索を開始させる検索ボタンと、制御部１５による検索結果を表示する検索結果表示領域と、患者データベースに新規の患者を登録させる患者登録モードを選択させる患者登録ボタンと、が表示されている。
【００４９】
ユーザーの操作部１８の操作により検索ボタンが選択されると、制御部１５は、入力欄に入力された識別情報と一致する患者を患者データベースから検索する。そして、制御部１５は、その検索結果としての患者リストを表示部１７の検索結果表示領域に表示する。
【００５０】
更に、患者検索画面には、患者リストの各患者に対応した測定情報を表示部１７に表示させる測定情報表示ボタンと、患者リストの各患者に対応した登録情報を表示部１７に表示させる登録情報表示ボタンと、が表示されている。
【００５１】
制御部１５は、ユーザーの操作部１８の操作により、患者リストの特定の患者が選択された後、測定情報表示ボタンが選択されると、その特定の患者に対応するフォルダに記憶された測定装置３の測定情報をハードディスクドライブ１６ｃから読み出し、必要に応じて測定情報を処理及び保存した後に、測定情報を表示部１７に表示させる。この詳細については後述する。
【００５２】
一方で、制御部１５は、ユーザーの操作部１８の操作により、患者リストの特定の患者が選択された後、登録情報表示ボタンが選択されると、その特定の患者に対応するフォルダに記憶された登録情報をハードディスクドライブ１６ｃから読み出し、表示部１７に表示させる。なお、この登録情報の表示は、上述した測定情報表示ボタンが選択され、表示部１７に測定装置３の測定情報を表示させた後であっても実行することができ、図３は、測定情報表示ボタンが選択され、測定情報が表示部１７に表示された後に、操作部１８の操作により制御部１５が登録情報を表示部１７に表示させた状態を示している。したがって、図３では、登録情報表示画面３５が、後述する測定情報表示画面７１（図９等参照）の前面に重ねられた新規ウィンドウとして表示された状態である。
【００５３】
図３に示すように、登録情報表示画面３５には、特定の患者の氏名及び患者ＩＤが表示された患者情報表示領域３０と、制御部１５に登録情報の削除を実行させる登録情報削除ボタン３１と、登録情報として登録された５つの項目のいずれかを選択可能なメニューバー３２と、このメニューバー３２の各項目に応じた登録情報を表示する登録情報表示領域３３と、登録情報表示画面３５から直前の画面（図３では測定情報が表示部１７に表示されている画面）に戻る終了ボタン３４と、が設けられている。
【００５４】
メニューバー３２には、「基本情報」、「目標値設定」、「時間帯設定」、「表示設定」、及び「バイタル機器」の５項目があり、操作部１８の操作によっていずれか１つを選択することができ、制御部１５は、いずれか１つが選択されると、登録情報表示領域３３に、各項目に対応した登録情報を表示させる。
【００５５】
「基本情報」が選択されると、例えば、患者の氏名、カナ、患者ＩＤ、性別、生年月日、身長、体重、その他の特記事項などの予め登録された基本情報が表示部１７の登録情報表示領域３３に表示される。ここで表示される基本情報は操作部１８を介して変更可能である。したがって、基本情報を変更し、操作部１８の操作を通じて登録情報表示領域３３の保存ボタンが選択されると、制御部１５は、変更された基本情報を記憶部１６のハードディスクドライブ１６ｃに記憶させる。
【００５６】
「目標値設定」が選択されると、例えば、図３に示すような、血糖値の目標情報、活動量の目標情報、血圧の目標情報、及び体重の目標情報が登録情報表示領域３３に表示される。医師等のユーザーは、操作部１８の操作を通じて、患者に応じた目標情報をこの画面から設定することができる。なお、目標情報は、患者データベースに新規に患者を登録する際に新規に設定されるが、患者の年齢や病態の変化等に応じて設定すべき目標情報も変動するため、医師等のユーザーは、図３に示す画面において、操作部１８を操作することにより、患者の年齢や病態の変化等に応じた最適な目標情報を変更（再設定）することができる。また、目標情報が変更された後に、保存ボタン６９が選択されると、制御部１５は、変更された目標情報を、ハードディスクドライブ１６ｃ等の記憶部１６に記憶させる。換言すれば、制御部１５は、操作部１８の操作に応じて、血糖値等の測定情報に関する目標情報の設定・変更を記憶部１６に記憶させる。
【００５７】
図３に示すように、血糖値の目標情報が表示された血糖目標値表示領域３６には、１カ月の測定回数の目標値を設定可能な回数目標値欄３７と、食前の血糖値の目標範囲を設定可能な食前血糖目標値欄３８と、食後の血糖値の目標範囲を設定可能な食後血糖目標値欄３９と、患者別の目標値であるか複数の患者に共通の目標値であるかを選択できる目標値種別選択欄４０と、が設けられている。
【００５８】
回数目標値欄３７では、操作部１８の操作を通じて、１カ月の測定回数の目標値を変更することができる。図３に示す例では、１カ月の測定回数の目標値を４０［回］としている。
【００５９】
食前血糖目標値欄３８では、操作部１８の操作を通じて、食前の血糖値の目標範囲を変更することができる。図３に示す例では、食前の血糖値の目標範囲を８０［ｍｇ／ｄＬ］以上、かつ、１３０［ｍｇ／ｄＬ］未満（図３では１２９［ｍｇ／ｄＬ］以下として表記）としている。
【００６０】
食後血糖目標値欄３９では、操作部１８の操作を通じて、食後の血糖値の目標範囲を変更することができる。図３に示す例では、食後の血糖値の目標範囲を８０［ｍｇ／ｄＬ］以上、かつ、１８０［ｍｇ／ｄＬ］未満（図３では１７９［ｍｇ／ｄＬ］以下として表記）としている。
【００６１】
図３に示すように、活動量の目標情報が表示された活動量目標値表示領域４１には、１日の歩数目標を設定可能な歩数目標値欄４２と、中強度の活動強度レベルを設定可能な活動強度レベル選択欄４３と、１日の中強度の活動時間の目標値を設定可能な活動時間目標値欄４４と、中強度の活動強度レベルの参照表示欄４５と、患者別の目標値であるか複数の患者に共通の目標値であるかを選択できる目標値種別選択欄４６と、が設けられている。
【００６２】
図３に示す例では、１日の歩数目標値が１００００［歩］、中強度の活動強度レベルが３［ＭＥＴｓ］、及び１日の中強度の活動時間の目標値が２０［分］に設定されている。
【００６３】
図３に示すように、血圧の目標情報が表示された血圧目標値表示領域４７には、最高血圧の目標値を設定可能な最高血圧目標値欄４８と、最低血圧の目標値を設定可能な最低血圧目標値欄４９と、患者別の目標値であるか複数の患者に共通の目標値であるかを選択できる目標値種別選択欄５０と、が設けられている。図３に示す例では、最高血圧の目標値が１３５［ｍｍＨｇ］未満に設定され、最低血圧の目標値が８５［ｍｍＨｇ］未満に設定されている。
【００６４】
図３に示すように、体重の目標情報が表示された体重目標値表示領域５１には、体重の目標値を設定可能な体重目標値欄５２と、患者別の目標値であるか複数の患者に共通の目標値であるかを選択できる目標値種別選択欄５３と、が設けられている。図３に示す例では、体重の目標値が６５［ｋｇ］に設定されている。
【００６５】
なお、図３に示す例では、血糖計９０、血圧計９１、体組成計９２、及び歩行強度計９４の測定情報に関する目標情報を示しているが、これに限られるものではなく、体温計９３やパルスオキシメータ９５の目標情報を設定可能な構成としてもよい。
【００６６】
「時間帯設定」が選択されると、例えば図４に示すような、血糖値及び血圧の測定情報を振り分けるための時間帯区分テーブル５４と、休日設定が可能な休日設定選択ボックス５５と、患者別の目標値であるか複数の患者に共通の目標値であるかを選択できる目標値種別選択欄５６と、変更情報をハードディスクドライブ１６ｃに保存する保存ボタン５７と、が登録情報表示領域３３に表示される。
【００６７】
血糖値及び血圧の測定情報は、ハードディスクドライブ１６ｃに測定日時と関連付けられて記憶されている。制御部１５は、ハードディスクドライブ１６ｃから読み出した血糖値及び血圧の測定情報を、血糖値及び血圧の測定日時と、図４に示す時間帯区分テーブル５４とを比較することにより、時間帯区分テーブル５４における時間帯区分のいずれかに区分する。図４に示す画面では、操作部１８の操作により、時間帯区分テーブル５４の時間帯を変更することができる。
【００６８】
ここで時間帯区分テーブル５４では、血糖値に関して、時間帯区分が「朝食前」、「朝食後」、「昼食前」、「昼食後」、「夕食前」、「夕食後」、「就寝前」及び「深夜」の８つに区分されている。また、時間帯区分テーブル５４では、血圧に関して、時間帯区分が「朝血圧」、「昼血圧」、及び「夜血圧」の３つに区分されている。
【００６９】
休日設定選択ボックス５５により休日の設定が可能であり、時間帯区分テーブル５４もまた、平日用の時間帯区分と休日用の時間帯区分との設定がそれぞれ可能である。図４に示す例では、土曜日を表す「土」と日曜日を表す「日」が休日として選択されている。
【００７０】
図４に示す時間帯区分テーブル５４では、設定入力時刻を、操作部１８を通じて入力することにより、平日の時間帯区分「朝食前」が測定時刻「２：００〜７：００」に対応し、平日の時間帯区分「朝食後」が測定時刻「７：００〜１０：００」に対応し、平日の時間帯区分「昼食前」が測定時刻「１０：００〜１２：００」に対応し、平日の時間帯区分「昼食後」が測定時刻「１２：００〜１５：００」に対応し、平日の時間帯区分「夕食前」が測定時刻「１５：００〜１８：００」に対応し、平日の時間帯区分「夕食後」が測定時刻「１８：００〜２１：００」に対応し、平日の時間帯区分「就寝前」が測定時刻「２１：００〜２４：００」に対応し、平日の時間帯区分「深夜」が測定時刻「２４：００〜２：００」に対応するようにされている。
【００７１】
また、平日の時間帯区分「朝血圧」が測定時刻「２：００〜１２：００」に対応し、平日の時間帯区分「昼血圧」が測定時刻「１２：００〜１８：００」に対応し、平日の時間帯区分「夜血圧」が測定時刻「１８：００〜２：００」に対応するようにされている。
【００７２】
更に、図４に示す時間帯区分テーブル５４では、設定入力時刻を、操作部１８を通じて入力することにより、休日の時間帯区分「朝食前」が測定時刻「５：００〜９：００」に対応し、休日の時間帯区分「朝食後」が測定時刻「９：００〜１２：００」に対応し、休日の時間帯区分「昼食前」が測定時刻「１２：００〜１４：００」に対応し、休日の時間帯区分「昼食後」が測定時刻「１４：００〜１７：５５」に対応し、休日の時間帯区分「夕食前」が測定時刻「１７：５５〜２０：５５」に対応し、休日の時間帯区分「夕食後」が測定時刻「２０：５５〜２３：５５」に対応し、休日の時間帯区分「就寝前」が測定時刻「２３：５５〜２４：００」に対応し、休日の時間帯区分「深夜」が測定時刻「２４：００〜５：００」に対応するようにされている。
【００７３】
また更に、休日の時間帯区分「朝血圧」が測定時刻「５：００〜１４：００」に対応し、休日の時間帯区分「昼血圧」が測定時刻「１４：００〜２０：５５」に対応し、休日の時間帯区分「夜血圧」が測定時刻「２０：５５〜５：００」に対応するようにされている。
【００７４】
従って制御部１５は、ハードディスクドライブ１６ｃから読み出した血糖値及び血圧の測定情報の測定日時が例えば月曜日の６：３０であった場合に、その測定情報を時間帯区分「朝食前」及び「朝血圧」に区分し、また、測定情報の測定時刻が例えば土曜日の１４：２０であった場合には、その測定情報を時間帯区分「昼食後」及び「昼血圧」に区分するようになされている。
【００７５】
このように制御部１５は、患者名に対応するフォルダに記憶された血糖計９０及び血圧計９１の測定情報をハードディスクドライブ１６ｃから読み出すと、読み出した血糖値及び血圧の全ての測定情報をいずれかの時間帯区分に区分する。
【００７６】
図４に示す画面では、ユーザーによる操作部１８の操作を介して、この休日設定や時間帯区分を適宜変更することができる。制御部１５は、操作部１８の操作を介して休日設定や時間帯区分が変更され、保存ボタン５７が選択されると、変更後の休日設定や時間帯区分を、ハードディスクドライブ１６ｃに記憶させる。
【００７７】
「表示設定」が選択されると、例えば、表示部１７に表示される測定情報の表示形式（表示項目、グラフの種類など）を選択させる表示形式選択欄が登録情報表示領域３３に表示される。この表示形式選択欄では、例えば、上述した患者検索画面において特定の患者が選択され、測定情報表示ボタンが選択された際に、デフォルトで表示する測定情報やグラフの種類を変更することができる。
【００７８】
「バイタル機器」が選択されると、制御部１５は、例えば図５に示すような、各患者が使用するバイタル機器（ここでは測定装置と同じ意味であり、以下、「測定装置」と呼ぶ。）の登録状況を示す測定装置一覧５８と、その測定装置一覧５８に表示されたいずれかの測定装置３についてのＱＣ（Quality Control）点検の履歴を表示させることができるＱＣ履歴表示ボタン５９と、測定装置一覧５８に表示された測定装置３の登録を削除することができる登録削除ボタン６０と、新たな測定装置３を測定装置一覧５８に登録する際等に行う動作を指示する動作指示表示領域６１と、を登録情報表示領域３３に表示させる。
【００７９】
測定装置一覧５８には、この患者の氏名等の識別情報と関連付けられてハードディスクドライブ１６ｃ等に記憶されている測定装置３の一覧が表示される。換言すれば、この患者が過去に使用した又は現在使用している測定装置３は、患者の識別情報と関連付けられてハードディスクドライブ１６ｃ等の記憶部１６に記憶されており、制御部１５は、これら測定装置３を測定装置一覧５８に表示する。
【００８０】
図５に示す例では、血糖計９０、血圧計９１、体組成計９２、体温計９３、歩行強度計９４、パルスオキシメータ９５等の測定装置の種類ごとに区分され、登録されている個別の測定装置３のシリアルナンバーが表示されている。
【００８１】
操作部１８の操作を通じて、測定装置一覧５８のいずれかの測定装置３が選択され、更にＱＣ履歴表示ボタン５９が選択されると、制御部１５は、その選択された測定装置３についての過去の品質管理記録の履歴を表示部１７に表示する。
【００８２】
また、操作部１８の操作を通じて、測定装置一覧５８のいずれかの測定装置３が選択され、更に登録削除ボタン６０が選択されると、制御部１５は、その選択された測定装置３についての登録を削除する変更を実行し、変更後の登録状況をハードディスクドライブ１６ｃに記憶させる。
【００８３】
なお、情報管理システム１００にて、新たな測定装置３を測定装置一覧５８に登録する場合、測定装置一覧５８に登録されている測定装置３の患者への貸し出し又は患者からの返却を登録する場合、或いは測定装置３の設定変更を登録する場合には、情報管理装置１の通信部１９としてのリーダ／ライタ装置と、測定装置３とを通信させ、情報管理装置１の記憶部１６及び測定装置３の記憶部６にこれらを登録することができる。そのため、図５に示す例では、測定装置３とリーダ／ライタ装置とを無線通信させるため、測定装置３をリーダ／ライタ装置上に載置する動作を指示する動作指示表示領域６１が表示されている。
【００８４】
これに関連して、情報管理装置１では、患者ごとに登録された測定装置３の管理のみならず、保有する全ての測定装置３の貸し出し状況、ＱＣ点検状況を管理することができる。ハードディスクドライブ１６ｃ等の記憶部１６には、測定装置データベースが記憶されており、各測定装置３は、種別、機種名、シリアルナンバー、使用中の患者、患者ＩＤ、最新ＱＣ点検日等と関連付けて記憶されている。
【００８５】
図６は、患者検索画面や後述する測定情報表示画面７１（図９等参照）において表示されている機器ボタン８０が操作部１８の操作により選択された場合に、制御部１５が表示部１７に表示する機器管理画面８９を示すものである。この画面では、例えば病院全体で保有する全ての測定装置３を一括管理することができる。
【００８６】
図６の示す機器管理画面８９では、測定装置３の種別、測定装置３の機種名、測定装置３のシリアルナンバー、使用中の患者名、患者ＩＤ、最新ＱＣ点検の実施日及び貸出日により特定の測定装置３を検索することが可能な機器一覧６３が表示されている。なお、この機器管理画面８９においても、機器一覧６３に表示されたいずれかの測定装置３についてのＱＣ（Quality Control）点検の履歴を表示させることができるＱＣ履歴表示ボタン５９と、機器一覧６３に表示された測定装置３の登録を削除することができる登録削除ボタン６０と、新たな測定装置３を特定の患者の測定装置一覧５８（図５参照）に登録する際等に行う動作を指示する動作指示表示領域６１と、が設けられている。したがって、医師等のユーザーは、病院が保有している測定装置３の全体の管理をこの機器管理画面８９を通じて行うことができる。機器一覧６３に表示させる測定装置３は、表示機器種別選択欄９６を操作部１８により操作することにより選択できる。
【００８７】
なお、図７は、図５及び図６において示す動作指示表示領域６１の指示に従い、情報管理装置１の通信部１９としてのリーダ／ライタ装置と、測定装置３とを通信させた場合に、制御部１５が表示部１７に表示させる画面を示す。
【００８８】
情報管理装置１の通信部１９は測定装置３の詳細情報を取得し、制御部１５は、機器管理画面８９の前面に新規ウィンドウとして個別機器詳細画面９７を表示させると共に、この個別機器詳細画面９７に取得した測定装置３の詳細情報を表示する。図７に示す例では、測定装置３の機種名（機器名称）、測定装置３のシリアルナンバー、使用中の患者名、患者ＩＤ、貸出日、最新ＱＣ点検日、ＱＣ点検の履歴、及びＱＣ点検時の測定情報が表示された詳細情報表示領域６４と、測定装置３の設定を変更可能な機器設定ボタン６５と、患者への貸し出し及び返却の登録が可能な貸出／解除ボタン６６と、この個別機器詳細画面９７のプリントアウトをプリンタに指示可能な印刷ボタン６７と、この測定装置３を測定装置データベースから削除することが可能な登録削除ボタン６８と、が表示されている。
【００８９】
操作部１８の操作により、例えば、機器設定ボタン６５が選択されると、制御部１５は図８Ａに示す動作指示画面９８を表示部１７に表示させる。具体的には、情報管理装置１の通信部１９としてのリーダ／ライタ装置と測定装置３とを通信状態にするように指示する。
【００９０】
測定装置３とリーダ／ライタ装置との通信が開始されたことを検知すると、制御部１５は図８Ｂに示す機器設定変更画面９９を表示部１７に表示する。
【００９１】
機器設定変更画面９９では、その測定装置３の種別等に応じた設定変更画面が表示され、図８Ｂに示す例では、血糖計９０の設定変更画面を示している。
【００９２】
図８Ｂに示すように、この機器設定変更画面９９では、例えば、測定装置３としての血糖計９０のアラーム設定、音声・ブザー設定、表示部８に測定情報以外の情報（例えば、測定した血糖値に応じて変化する背景色などの二次的情報等）を表示可能にするサポートモードの設定、表示部８の明るさ設定など、を設定・変更することができる。
【００９３】
操作部１８の操作により、図８Ｂに示す各種設定が変更され、更に設定送信ボタン７０が選択されると、制御部１５は、通信部１９から各種設定の変更指示情報を測定装置３に送信する。これら各種設定は、測定装置３の測定情報に影響しないものであることから、制御部１５はハードディスクドライブ１６ｃに変更を記憶しない。一方で、通信部１９から測定装置３に送信された変更指示情報は、測定装置３の通信部７により受信され、測定装置３の制御部９によって記憶部６に記憶される。
【００９４】
このように情報管理装置１によれば、血糖計９０、血圧計９１、体組成計９２、体温計９３、歩行強度計９４、パルスオキシメータ９５などの各種測定装置３の測定情報を一元管理することができる。また、情報管理装置１によれば、病院が保有する全ての測定装置３のＱＣ点検状況や貸出状況などについても管理することができる。更に、情報管理装置１によれば、操作部１８の操作を介して測定情報に関する目標情報を患者ごとに設定・変更することができる。また更に、情報管理装置１によれば、測定装置３と通信状態とすることにより、測定装置３から測定情報を受信できるのみならず、測定装置３に予め設定された各種設定の変更を指示する変更指示情報を測定装置３に送信することができる。
【００９５】
以下、通信部１９で受信した測定装置３の測定情報に関して、情報管理装置１で実行される情報処理の詳細について説明する。
【００９６】
上述した患者検索画面において、操作部１８の操作により測定情報表示ボタンが選択されると、制御部１５は、患者に対応するフォルダに記憶された測定装置３の測定情報をハードディスクドライブ１６ｃから読み出す。以下、測定装置３としての血糖計９０、血圧計９１、及び歩行強度計９４の測定情報の処理についてそれぞれ例示説明する。
【００９７】
＜血糖計９０の測定情報の処理＞
制御部１５は、例えば患者名に対応するフォルダに記憶された血糖計９０の測定情報をハードディスクドライブ１６ｃから読み出すと、測定日時と関連付けられた血糖値の測定情報の全てを、上述した時間帯区分テーブル５４上におけるいずれかの時間帯区分に区分する。そして制御部１５は、血糖値の測定情報及び測定日時と、時間帯区分テーブル５４における時間帯区分と、を関連付けた血糖データベースを生成し、当該血糖データベースを例えばハードディスクドライブ１６ｃの患者名に対応するフォルダに記憶する。
【００９８】
更に制御部１５は、例えば患者名に対応するフォルダに記憶された血糖計９０の測定情報をハードディスクドライブ１６ｃから読み出すと、血糖計９０の測定情報と、測定情報に関する上述した目標情報（図３参照）とに基づき達成度を導出し、この達成度情報を上述した血糖データベースと共に例えばハードディスクドライブ１６ｃの患者名に対応するフォルダに記憶する。
【００９９】
その後、制御部１５は、図９に示すような測定情報表示画面７１を表示する。図９に示す測定情報表示画面７１には、基本メニューバー７２と、患者情報表示領域７３と、測定情報表示画面７１を閉じて終了させる終了ボタン７４と、表示する情報を選択可能な表示情報選択メニューバー７５と、表示情報選択メニューバー７５から選択された項目に応じた表示情報を表示する測定情報表示領域７６と、患者情報表示領域７３の近傍に設けられ、上述した登録情報のうち「基本情報」を変更可能な画面に移行させる登録情報ボタン７７と、上述した登録情報の「目標情報」を変更可能な画面（図３参照）に移行させる目標値編集ボタン７８と、が表示されている。
【０１００】
基本メニューバー７２には、患者検索画面に移行可能な患者ボタン７９、測定装置３の一元管理を行う機器管理画面８９（図６参照）に移行可能な機器ボタン８０、情報管理装置１外に情報を記憶するサーバーがある場合にはそのサーバーにアクセス可能なサーバーボタン８１、測定装置３や情報記憶装置４との間で近距離通信を開始させることが可能なＮＦＣ（Near Field Communicationの略）開始ボタン８２、情報管理プログラムを終了するログアウトボタン８３、プリンタ２に対して印刷指示が可能な印刷ボタン８４、などが選択可能に表示されている。操作部１８の操作によりいずれかのボタンが選択されると、制御部１５は、その操作に対応した画面を表示部１７に表示させる。
【０１０１】
患者情報表示領域７３には、患者の氏名、患者ＩＤ、年齢、身長、及び体重が表示されており、患者情報表示領域７３の左側には、これらの患者情報を変更可能な画面に移行できる登録情報ボタン７７が配置されている。
【０１０２】
表示情報選択メニューバー７５には、トレンドボタン７５Ａ、２４Ｈボタン７５Ｂ、平均ボタン７５Ｃ、データノートボタン７５Ｄ、及びサマリーノートボタン７５Ｅが設けられ、いずれか１つが選択されるようになされており、ここで示す情報管理装置１では、図９に示すようにデフォルトでサマリーノートボタン７５Ｅが選択されている。なお、登録情報の「表示設定」により、デフォルトで選択されるボタンを変更することが可能である。
【０１０３】
操作部１８の操作を介して表示情報選択メニューバー７５におけるいずれか１つが選択されると、制御部１５は、その選択された項目に対応したグラフ及びそのグラフに関連した各種情報等を表示部１７に表示させる。
【０１０４】
測定情報表示領域７６には、サマリーノートボタン７５Ｅが選択されているとき、所定期間（図９では直近３０日）における血糖計９０の測定情報、血糖計９０の測定情報についての目標情報、および測定情報と目標情報とに基づく達成度情報が、併せて表示されている。
【０１０５】
より具体的に、測定情報表示領域７６には、表示された測定情報の測定期間を示す期間情報表示領域８５と、表示させる測定情報の種別を選択可能な種別選択ボタン８６と、この種別選択ボタン８６により選択された測定情報（図９では血糖ボタン８６Ａが選択されているため血糖計９０の測定情報）を、測定期間を横軸にとってグラフ表示するグラフ表示領域８７と、達成度情報を表示する達成度情報表示領域８８と、が設けられている。
【０１０６】
グラフ表示領域８７には、期間情報表示領域８５に表示された期間を横軸、血糖値を縦軸とした散布図が表示されている。つまり、血糖値の測定情報は、血糖値の測定情報と関連付けられた測定日時に基づいて、グラフ上にプロットされている。より具体的に、制御部１５は、ハードディスクドライブ１６ｃから患者情報表示領域７３に表示された患者氏名に対応する血糖データベースを読み出し、測定日時に基づいて所定期間（図９では直近３０日）における測定情報を血糖データベースから抽出し、測定日時別にプロットして散布図を生成し、グラフ表示領域８７に表示する。
【０１０７】
更に、グラフ表示領域８７には、血糖値の測定情報のみならず、測定情報の目標情報が併せて表示されている。具体的に、図９に示す散布図には、食前の血糖値の目標範囲である８０［ｍｇ／ｄＬ］以上、かつ、１３０［ｍｇ／ｄＬ］未満が、他の部分と背景を異なる色にすることにより強調されていると共に、血糖値を示す縦軸の目盛りに、「８０」及び「１３０」が表示されている。また、図９に示す散布図には、食後の血糖値の目標範囲の上限閾値を示す１８０［ｍｇ／ｄＬ］が破線により示されていると共に、縦軸の目盛りに「１８０」が表示されている。
【０１０８】
つまり、グラフ表示領域８７には、血糖値の測定情報と、この測定情報の目標情報とが併せて表示されている。換言すれば、制御部１５は、所定期間内での測定情報を示すグラフと共に、その測定情報の目標情報を表示部１７に表示する。具体的に、測定情報の目標情報については、記憶部１６のハードディスクドライブ１６ｃ等に記憶されており、制御部１５は、操作部１８の操作により測定情報を表示部１７に表示させる際に、目標情報をハードディスクドライブ１６ｃ等から読み出し、取得した測定情報と目標情報とからグラフを生成し、測定情報と目標情報とを表示部１７に表示する。
【０１０９】
更に、グラフ表示領域８７にてプロットされた血糖値の測定情報は、食前の血糖値の測定情報を二重丸印で表示し、食後の血糖値の測定情報を白抜きの丸印で表示されている。また更に、二重丸印で表示された食前血糖値の測定情報のうち、目標範囲（８０〜１２９ｍｇ／ｄＬ）に属さないものは、破線の二重丸印により表示されている。同様に、白抜きの丸印で表示された食後血糖値の測定情報のうち、目標範囲（８０〜１７９ｍｇ／ｄＬ）に属さないものは、破線の白抜き丸印により表示されている。なお、食前や食後にかかわらず、測定情報が７９［ｍｇ／ｄＬ］以下の場合には、例えば赤色丸印を表示する等して、低血糖を強調表示するようにしてもよい。また、食前の血糖値の測定情報と食後の血糖値の測定情報とを、白抜き丸印と塗り潰した丸印とで区別し、目標範囲に属さない測定値を、目標範囲に属する測定値に対して薄い色で表示するなどの、別の識別形式を用いることもできる。
【０１１０】
このように、制御部１５は、食前の血糖値の測定情報と食後の血糖値の測定情報とが区分けされて生成された上述の血糖データベースと、例えばハードディスクドライブ１６ｃ等の記憶部１６に記憶されている血糖値の測定情報に関する目標情報（図３参照）と、に基づき、目標情報に合致する測定情報又は合致しない測定情報（例えば低血糖）を、グラフ表示領域８７において強調表示するようにしている。なお、グラフ表示領域８７において描かれている三角形の破線は、測定値が目盛りの最大値（図９では６００［ｍｇ／ｄＬ］）を超えていることを示している。
【０１１１】
達成度情報を表示する達成度情報表示領域８８には、目標項目を示す目標項目表示領域８８Ａと、各目標項目の達成度を示す達成度表示領域８８Ｂと、各目標項目の達成度が算出される基礎となった目標値及び実績値を示す基礎情報表示領域８８Ｃと、各目標項目の達成度に応じて、数、大きさ又は着色比率が変化する図形が表示される図形表示領域８８Ｄと、が設けられている。
【０１１２】
目標項目表示領域８８Ａには、上述した測定情報の目標情報として設定されている項目が表示されている。図９に示す例では、１カ月の血糖値の全測定回数、食前の血糖値、及び食後の血糖値が目標項目として表示されている。
【０１１３】
制御部１５は、目標値に対する実績値の割合である達成度を算出し、達成度表示領域８８Ｂにおいて達成度を表示する。図９に示す例では、１カ月の血糖値の全測定回数の目標値が４０［回］であったのに対して、実績値が４２［回］であるため、達成度として「１０５％」が表示される。
【０１１４】
また、図９に示す例では、食前の血糖値の目標範囲が８０［ｍｇ／ｄＬ］以上、かつ、１３０［ｍｇ／ｄＬ］未満であったのに対して、食前の血糖値の全ての測定値（３３回）のうち、目標範囲に入ったのが２２［回］であるため、達成度としては「６７％」が表示される。
【０１１５】
同様に、図９に示す例では、食後の血糖値の目標範囲が８０［ｍｇ／ｄＬ］以上、かつ、１８０［ｍｇ／ｄＬ］未満であったのに対して、食後の血糖値の全ての測定値（９回）のうち、目標範囲に入ったのが８［回］であるため、達成度としては「８９％」が表示される。
【０１１６】
制御部１５は、上述した達成度の算出の基礎となった基礎情報を、基礎情報表示領域８８Ｃに表示する。
【０１１７】
制御部１５は、上述した達成度に応じて、数、大きさ又は着色比率が変化する図形を図形表示領域８８Ｄに表示する。また、図形表示領域８８Ｄに表示される図形は、図９に示すスマイルマークや桜の花のような、人に称賛されている印象を誘起する図案としている。つまり、図９に示す例では、図形として、人に称賛されている印象を誘起する図案のみを使用し、その数を変化させる（０個〜５個）ことによって、達成度を表示している。
【０１１８】
まず、数や大きさ、着色比率の変化といった単純で無機的な変化によって達成度を表現することにより、達成度が低い患者が改善行動を継続する意欲を失うような悪い印象を受ける可能性を低減することができる。更に、図９に示すスマイルマークのような、人に称賛されている印象を誘起する図案のみを用いた上で、数や大きさ等の変化といった無機的な変化により達成度を表現すれば、達成度の低い患者が悪い印象を受ける可能性をより低減できると共に、達成度の高い患者の改善行動に対する継続意識をより高める効果が期待できる。特に、図９に示すスマイルマークは、人に称賛されている印象を誘起する図案として世界的に著名であることからも、人によって受ける印象が異なるという問題も軽減することができるため好ましい。
【０１１９】
ここで、制御部１５は、測定情報が目標情報を満たす達成状態（達成度１００％）にある図形を、算出された達成度にかかわらず図形表示領域８８Ｄに参照表示している。図９に示す例では、実際の達成度にかかわらず、スマイルマーク５つが最多であることを、破線のスマイルマークを表示することにより参照表示している。このように、達成度１００％で表示される図形の状態を患者に認知させることにより、達成度１００％に満たない患者が、今後の改善行動を更に努力する契機となり得る。なお、参照表示するスマイルマークの表示形式は、図９に示す破線による表示に限られるものではなく、例えば、参照表示するスマイルマークを、達成度に応じて表示されるスマイルマークの色と比較して薄い色にすることにより表示してもよい。
【０１２０】
更に、制御部１５は、算出した測定情報が達成状態（達成度１００％）にある場合に、図形を変化させる。より具体的に、記憶部１６のＲＯＭ１６ａ又はハードディスクドライブ１６ｃには、測定情報が達成状態となった場合に、図形を動かすための動作プログラムや、追加の称賛メッセージを表示部１７に表示させるプログラムなどの追加プログラムが格納されており、制御部１５は、算出した達成度が達成状態にある場合（達成度が１００％以上の場合）に、ＲＯＭ１６ａ又はハードディスクドライブ１６ｃからこの追加プログラムをＲＡＭ１６ｂに展開し、追加プログラムに従って表示部１７に表示される図形を変化させる。なお、図９に示す例では、達成度が１００％以上の場合に、５つ目のスマイルマークが動くと共に、追加の称賛メッセージが５つ目のスマイルマークから吹き出し状に表示される（図９参照）。なお、称賛メッセージとしては、例えば、「頑張ったね」、「おめでとう」、「その調子」などが挙げられる。
【０１２１】
また、例えば達成度が０％よりも高く、図形が表示される達成度の閾値（図９に示す例ではスマイルマークが１つ表示されるための達成度の閾値である２０％）未満の患者であっても、達成度が０％より高い場合には、スマイルマークを１つ表示するようにしてもよい。つまり、制御部１５が算出した達成度が、０％よりも高く、かつ、図形が表示される閾値未満の場合、制御部１５は、達成度の値にかかわらず、図形表示領域８８Ｄに図形を表示するようにしてもよい。これにより、患者の意欲を減退させてしまうリスクを軽減でき、患者に改善行動の継続を促すことができる。
【０１２２】
このように、情報管理装置１によれば、グラフ表示領域８７及び達成度表示領域８８において、測定装置３としての血糖計９０の測定情報としての、測定回数、食前の血糖値情報、食後の血糖値情報が表示されると共に、これらの目標情報が表示される。更に、達成度表示領域８８には、達成度情報としての、達成度及び達成度に応じた図形が表示される。
【０１２３】
＜歩行強度計９４の測定情報の処理＞
次に、歩行強度計９４の測定情報の処理について説明する。制御部１５は、例えば患者名に対応するフォルダに記憶された歩行強度計９４の測定情報をハードディスクドライブ１６ｃから読み出すと、図１０のような測定情報表示画面を表示する。図１０に示す測定情報表示画面は、操作部１８の操作によって、図９に示す種別選択ボタン８６の活動ボタン８６Ｂが選択された場合に制御部１５が表示部１７に表示させる画面である。つまり、図１０に示す画面は、図９に示す測定情報表示画面７１であり、測定情報表示領域７６に表示される情報のみが異なっている。
【０１２４】
図１０に示す測定情報表示領域７６には、サマリーノートボタン７５Ｅが選択されているとき、所定期間（図１０では直近３０日）における歩行強度計９４の測定情報、歩行強度計９４の測定情報についての目標情報、および測定情報と目標情報とに基づく達成度情報が、併せて表示されている。
【０１２５】
より具体的に、図１０に示す測定情報表示領域７６には、図９と同様、表示された測定情報の測定期間を示す期間情報表示領域８５と、表示させる測定情報の種別を選択可能な種別選択ボタン８６と、この種別選択ボタン８６により選択された測定情報（図１０では歩行強度計９４の測定情報）を、測定期間を横軸にとってグラフ表示するグラフ表示領域８７と、達成度情報を表示する達成度情報表示領域８８と、が設けられている。
【０１２６】
グラフ表示領域８７には、期間情報表示領域８５に表示された期間を横軸、歩数及び中強度の活動時間を縦軸とした折れ線グラフ及び棒グラフが表示されている。つまり、歩数及び中強度の活動時間の測定情報は、歩数及び中強度の活動時間の測定情報と関連付けられた測定日時に基づいて、グラフ上に配置されている。
【０１２７】
更に、グラフ表示領域８７には、歩数及び中強度の活動時間の測定情報のみならず、測定情報の目標情報が併せて表示されている。具体的に、図１０に示す折れ線グラフには、１日の目標歩数である１００００［歩］が破線により表示されていると共に、歩数を示す縦軸に「１００００」が表示されている。また、図１０に示す棒グラフには、１日の中強度の目標活動時間である２０［分］が破線により表示されていると共に、縦軸に「２０」が表示されている。
【０１２８】
つまり、グラフ表示領域８７には、歩数及び中強度の活動時間の測定情報と、この測定情報の目標情報とが併せて表示されている。換言すれば、制御部１５は、所定期間内での測定情報を示すグラフと共に、その測定情報の目標情報を表示部１７に表示している。より具体的に、制御部１５は、患者情報表示領域７３に表示された患者氏名に対応する活動量の測定情報をハードディスクドライブ１６ｃから読み出し、測定日時に基づいて所定期間（図１０では直近３０日）における測定情報を抽出し、測定日時別に測定情報を示したグラフ（図１０に示す例では歩数の折れ線グラフ及び中強度の活動時間の棒グラフ）を生成し、生成したグラフをグラフ表示領域８７に表示する。
【０１２９】
更に、グラフ表示領域８７にて表示された歩数の測定情報は、目標歩数を達成した日付のみ、折れ線グラフ上に白抜き丸印が表示されている。なお、グラフ表示領域８７において描かれている三角形の破線は、測定値が目盛りの最大値（図１０では２００００［歩］）を超えていることを示している。また、グラフ表示領域８７にて表示された中強度の活動時間についての測定情報は、目標となる活動時間を達成した日付については、目標となる活動時間を達成していない日付と比較して、濃い色の棒グラフで強調表示されている。このように、制御部１５は、歩数及び中強度の活動時間の測定情報と、例えばハードディスクドライブ１６ｃ等の記憶部１６に記憶されている歩数及び中強度の活動時間の測定情報に関する目標情報（図３参照）と、に基づき、目標情報に合致する測定情報を、グラフ表示領域８７において強調表示するようにしている。
【０１３０】
また、図１０に示す達成度情報表示領域８８においても、図９に示す例と同様、目標項目表示領域８８Ａ、達成度表示領域８８Ｂ、基礎情報表示領域８８Ｃ、及び図形表示領域８８Ｄ、が設けられている。
【０１３１】
図１０に示す目標項目表示領域８８Ａには、上述した測定情報の目標情報（図３参照）として設定されている項目が表示されている。図１０に示す例では、１日の歩数及び中強度の活動時間が目標項目として表示されている。
【０１３２】
制御部１５は、目標値に対する実績値の割合である達成度を算出し、達成度表示領域８８Ｂにおいて達成度を表示する。図１０に示す例では、１日の歩数目標値が１００００［歩］であったのに対して、直近３０日の測定値の平均値（実績値）が１０１２３［歩］であるため、達成度として「１０１％」が表示される。
【０１３３】
また、図１０に示す例では、１日の中強度の活動時間の目標値が２０［分］であったのに対して、直近３０日の測定値の平均値（実績値）が１８［分］であるため、達成度として「９０％」が表示される。
【０１３４】
制御部１５は、上述した達成度の算出の基礎となった基礎情報を、基礎情報表示領域８８Ｃに表示する。また、図形表示領域８８Ｄへの表示形式は、図９に示す例と同様である。
【０１３５】
＜血圧計９１の測定情報の処理＞
制御部１５は、例えば患者名に対応するフォルダに記憶された血圧計９１の測定情報をハードディスクドライブ１６ｃから読み出すと、測定日時と関連付けられた血圧の測定情報の全てを、上述した時間帯区分テーブル５４（図４参照）上におけるいずれかの時間帯区分に区分する。そして制御部１５は、測定情報としての血圧値及び測定日時と、時間帯区分テーブル５４における時間帯区分と、を関連付けた血圧データベースを生成し、この血圧データベースを例えばハードディスクドライブ１６ｃの患者名に対応するフォルダに記憶する。
【０１３６】
更に制御部１５は、例えば患者名に対応するフォルダに記憶された血圧計９１の測定情報をハードディスクドライブ１６ｃから読み出すと、血圧計９１の測定情報と、測定情報に関する上述した目標情報（図３参照）とに基づき達成度を算出し、この達成度情報を上述した血圧データベースと共に例えばハードディスクドライブ１６ｃの患者名に対応するフォルダに記憶する。
【０１３７】
その後、制御部１５は、図９や図１０に示すような測定情報表示画面７１を表示する。図９や図１０で示す例では、種別選択ボタン８６として血糖ボタン８６Ａ及び活動ボタン８６Ｂの２つのみが示されているが、血圧に対応した血圧ボタンを作成し、例えば最高血圧及び最低血圧の測定情報、これらの目標情報、並びに達成度情報を表示するようにしてもよい。ただし、上述した血糖値や活動量と表示する情報は同様であるため、ここでは説明を省略する。
【０１３８】
また、ここでは、測定装置３として血糖計９０、血圧計９１及び歩行強度計９４を例示説明したが、例えば、体組成計９２やパルスオキシメータ９５についても同様の情報処理を情報管理装置１により行うことができる。
【０１３９】
以上のとおり、情報管理装置１は、測定装置３の測定情報を取得する取得部としての通信部１９と、測定情報及び測定情報に関する目標情報を表示部１７に表示させる制御部１５と、を備えており、この制御部１５は、測定情報及び目標情報と共に、測定情報と目標情報とに基づく達成度情報を併せて表示することができる。つまり、患者は、医師がその患者に応じて決定した目標情報を、実際の測定情報と達成度情報とを併せて、その医師と共に確認することができるため、自己が改善に向かっているか否かを理解し易い。そのため、改善に向かう行為を継続して実行する意欲を患者に誘起できる。
【０１４０】
なお、医師等の医療従事者は、情報管理装置１により確認した上述の達成度情報等の結果に基づき目標情報の変更が必要と判断した場合には、上述した登録情報表示画面３５（図３参照）から、患者に最適な目標情報を再設定することができる。かかる場合に制御部１５は、再設定された目標情報、及び再設定された目標情報から導出された達成度情報を記憶部１６に記憶させると共に、図９や図１０と同様の表示形式で表示部１７に表示することができる。
【０１４１】
＜情報管理装置１による情報管理方法について＞
上述したとおり、情報管理装置１は、測定装置３の測定情報を取得した後、測定情報、この測定情報に関する目標情報、及び達成度情報を併せて表示部１７に表示する。この一連の情報管理方法を以下に詳述する。
【０１４２】
図１７は、情報管理装置１の情報管理方法を示すフローチャート図である。図１７に示すように、この情報管理方法は、生体情報又は生体の活動情報を測定する測定装置３の測定情報を取得するステップＳ１と、取得した測定情報と記憶部１６に記憶されている測定情報の目標情報とに基づき、測定情報と目標情報とを含むグラフを生成するステップＳ２と、取得した測定情報と記憶部１６に記憶されている測定情報に関する目標情報とに基づく達成度情報を導出するステップＳ３と、測定情報と目標情報とを含むグラフ、及び達成度情報を併せて表示部１７に表示するステップＳ４と、を含むものである。
【０１４３】
測定装置３が血糖計９０又は血圧計９１である場合には、上述したステップＳ２の前に、測定情報を、測定情報の測定日時と情報管理装置１の記憶部１６に記憶されている時間帯区分テーブル５４とに基づき、時間帯区分テーブル５４上の時間帯区分に関連付けたデータベースを生成し、記憶部１６に記憶させるステップを実行する。また、記憶部１６に記憶されている測定情報に関する目標情報や時間帯区分テーブル５４の時間帯区分は変更可能であり、操作部１８を通じて変更されると、その都度、記憶部１６に記憶され、上述したステップＳ２及びＳ３においては、最新の目標情報や時間帯区分テーブル５４の時間帯区分が利用される。
【０１４４】
また、上述したステップＳ４では、ステップＳ３において導出した達成度が達成状態（達成度１００％）にある場合、導出した達成度が達成状態にない場合には表示されない追加情報を更に表示部１７に表示するようにしてもよい。例えば、図９や図１０に示す５つ目のスマイルマークの変化がこの追加情報に相当する。
【０１４５】
更に、上述したステップＳ４では、ステップＳ３において導出した達成度が、０％よりも大きく、かつ、図形が表示される達成度の閾値（図９、図１０に示す例ではスマイルマークが１つ表示されるための達成度の閾値である２０％）未満の場合、導出した達成度にかかわらず、最小単位の図形（図９、図１０に示す例ではスマイルマーク１つ）を表示するようにしてもよい。
【０１４６】
＜その他の表示画面について＞
ここまでは、測定装置３の測定情報を表示する測定情報表示画面７１における表示情報選択メニューバー７５（図９、図１０参照）のうち、サマリーノートボタン７５Ｅが選択された場合について説明した。以下、表示情報選択メニューバー７５のうちトレンドボタン７５Ａ、２４Ｈボタン７５Ｂ、平均ボタン７５Ｃ、及びデータノートボタン７５Ｄが選択された場合の表示画面について説明する。
【０１４７】
Ｉ．トレンド表示画面
図１１は、表示情報選択メニューバー７５のうちトレンドボタン７５Ａが選択された場合の測定情報表示画面７１を示す。測定情報表示領域７６には、所定期間（図１１では３０日〜９０日の間で任意に設定可能）における各種計測装置３の測定情報及び目標情報が表示されている。
【０１４８】
具体的に、測定情報表示領域７６には、表示された測定情報の測定期間を示す期間情報表示領域１２０Ａと、表示させる測定情報の種別を選択可能な種別選択ボタン１２０Ｂと、この種別選択ボタン１２０Ｂにより選択された測定情報（図１１では血糖計９０、血圧計９１及び歩行強度計９４の測定情報）を、測定期間を横軸にとってグラフ表示するグラフ表示領域１２０Ｃと、新たに取得した測定情報とそれ以前に既に取得済みの測定情報とを識別可能にする最新データボタン１２０Ｄと、が設けられている。
【０１４９】
期間情報表示領域１２０Ａには、グラフ表示領域１２０Ｃに表示するグラフの開始時期を、操作部１８を介して設定可能な開始時期設定欄１２１と、グラフの終了時期を、操作部１８を介して設定可能な終了時期設定欄１２２と、操作部１８により開始時期設定欄１２１及び終了時期設定欄１２２に入力された日付に基づき、制御部１５により算出された表示期間を表示する期間表示領域１２３と、が設けられている。
【０１５０】
種別選択ボタン１２０Ｂには、血糖ボタン１２４Ａ、血圧ボタン１２４Ｂ、活動ボタン１２４Ｃ及び体重ボタン１２４Ｄが設けられており、操作部１８を介して１つ以上のボタンを選択することができる。図１１では、操作部１８の操作により、血糖ボタン１２４Ａ、血圧ボタン１２４Ｂ及び活動ボタン１２４Ｃが選択され、制御部１５が、グラフ表示領域１２０Ｃに、血糖値、活動量、及び血圧の測定情報についてのグラフを表示している。
【０１５１】
グラフ表示領域１２０Ｃには、期間情報表示領域１２０Ａに表示された所定期間においての、血糖計９０の測定情報のグラフが表示された血糖値グラフ領域１２５Ａと、歩行強度計９４の測定情報のグラフが表示された活動量グラフ領域１２５Ｂと、血圧の測定情報のグラフが表示された血圧グラフ領域１２５Ｃと、が設けられている。
【０１５２】
図１１に示す血糖値グラフ領域１２５Ａには、期間情報表示領域１２０Ａに表示された所定期間を横軸、血糖値を縦軸とした散布図が表示されている。つまり、制御部１５は、血糖値の測定情報と、血糖値の測定情報と関連付けられた測定日時とに基づいてグラフとしての散布図を生成し、血糖値グラフ領域１２５Ａに表示する。
【０１５３】
図１１に示す血糖値グラフ領域１２５Ａについても、図９に示す例と同様、食前及び食後の血糖値の測定情報と、測定情報に関する目標情報と、が併せて表示されている。換言すれば、制御部１５は、所定期間内での測定情報を示すグラフと共に、その測定情報の目標情報を表示部１７に表示する。測定情報及び目標情報の表示形式は、図９に示す例と同様であるが、図１１の示す例では、目標範囲に属さない測定値についても、目標範囲に属する測定値と表示形式を変えることなく実線でグラフ上に表示されている。なお、目標範囲に属する測定値と属さない測定値とで表示形式を異ならせるようにすることもできる。
【０１５４】
図１１に示す活動量グラフ領域１２５Ｂには、期間情報表示領域１２０Ａに表示された所定期間を横軸、歩数を縦軸とした折れ線グラフと、同所定期間を横軸、中強度の活動時間を縦軸とした棒グラフと、が一体化されて表示されている。つまり、制御部１５は、歩数及び中強度の活動時間の各測定情報と、歩数及び中強度の活動時間の測定情報と関連付けられた測定日時とに基づいてグラフを生成し、活動量グラフ領域１２５Ｂに表示する。
【０１５５】
図１１に示す活動量グラフ領域１２５Ｂについても、図１０に示す例と同様、活動量としての歩数及び中強度の活動時間の測定情報と、測定情報に関する目標情報と、が併せて表示されている。換言すれば、制御部１５は、所定期間内での測定情報を示すグラフと共に、その測定情報の目標情報を表示部１７に表示する。測定情報及び目標情報の表示形式は、図１０に示す例と同様であるが、図１１の示す例では、目標範囲に属さない測定値についても、目標範囲に属する測定値と表示形式を変えることなく、つまりいずれかを強調表示することなく、グラフ上に表示している。なお、色を異ならせる等することにより、いずれかを強調表示するようにしてもよい。
【０１５６】
図１１に示す血圧グラフ領域１２５Ｃには、期間情報表示領域１２０Ａに表示された所定期間を横軸、血圧を縦軸としたグラフが表示されている。つまり、制御部１５は、血圧の測定情報と、血圧の測定情報と関連付けられた測定日時とに基づいてグラフを生成し、血圧グラフ領域１２５Ｃに表示する。
【０１５７】
図１１に示す血圧のグラフには、各測定日時における朝血圧の最高血圧及び最低血圧を示す棒状の朝血圧要素１２６Ａと、各測定日時における夜血圧の最高血圧及び最低血圧を示す棒状の夜血圧要素１２６Ｂと、が表示されている。朝血圧要素１２６Ａ及び夜血圧要素１２６Ｂは、上端が最高血圧値を示し、下端が最低血圧値を示す。なお、朝血圧要素１２６Ａと夜血圧要素１２６Ｂとは、色を異ならせる等することにより容易に区別することができる。
【０１５８】
更に、血圧グラフ領域１２５Ｃには、血圧の測定情報のみならず、測定情報の目標情報が併せて表示されている。具体的に、図１１に示す血圧のグラフには、最高血圧の目標となる上限閾値を示す１３５［ｍｍＨｇ］が破線により示されていると共に、縦軸に「１３５」が表示されている。また更に、図１１に示す血圧のグラフには、最低血圧の目標となる上限閾値を示す８５［ｍｍＨｇ］が破線により示されていると共に、縦軸に「８５」が表示されている。つまり、図１１に示す例では、朝血圧要素１２６Ａ及び夜血圧要素１２６Ｂの上端が１３５［ｍｍＨｇ］よりも小さく、かつ、下端が８５［ｍｍＨｇ］よりも小さいことが目標値とされている。
【０１５９】
このように、図１１に示す血圧グラフ領域１２５Ｃについても、血糖値グラフ領域１２５Ａや活動量グラフ領域１２５Ｂと同様、血圧の測定情報と、測定情報に関する目標情報と、が併せて表示されている。換言すれば、制御部１５は、所定期間内での測定情報を示すグラフと共に、その測定情報の目標情報を表示部１７に表示する。
【０１６０】
なお、図１１に示す例では、血糖値グラフ領域１２５Ａの散布図上における１つの測定情報が、操作部１８の操作を介して選択された状態を示している。例えば、表示部１７に表示されるカーソルを操作部１８としてのマウスを操作することにより移動させ、散布図上の測定情報に合わせる（第１操作）と、制御部１５は、図１１に示すようなポップアップ１２７を表示する。更にその状態で、操作部１８により別の操作（例えばクリック操作などの第２操作）を行うことにより、制御部１５は、カーソルの移動等に伴って図１１に示すポップアップ１２７が表示部１７から消えないように、ポップアップ１２７を表示部１７上に維持し、表示させ続ける。なお、図１１に示す例では、活動量グラフ領域１２５Ｂ及び血圧グラフ領域１２５Ｃについても、同様の操作により、ポップアップ１２７を表示させた状態を示している。
【０１６１】
最新データボタン１２０Ｄは、画面上で確認できる測定情報が、今回新たに測定装置３から取得され、グラフ表示領域１２０Ｃに初めて表示された測定情報であるか否かを識別可能にするボタンである。具体的に、図１１に示す例では、血糖値グラフ領域１２５Ａ及び血圧グラフ領域１２５Ｃにおける「１１月１７日〜１２月１６日」の範囲の背景が、他の部分とは異なる色で着色されている。つまり、図１１に示す例では、血糖値グラフ領域１２５Ａ及び血圧グラフ領域１２５Ｃにおける「１１月１７日〜１２月１６日」の範囲に表示された測定情報は、過去に測定装置３から取得済みの測定情報であることを示す。換言すれば、図１１に示す例では、操作部１８の操作により最新データボタン１２０Ｄが選択されると、制御部１５は、グラフ表示領域１２０Ｃのうち、過去に取得済みの測定情報を示す部分を、今回新たに取得した測定情報を示す部分から識別可能に表示形式を変更する。更に言えば、制御部１５は、グラフ表示領域１２０Ｃに初めて表示する測定情報であるか否かを、例えば、グラフ表示領域１２０Ｃが前回表示された際に記憶部１６に記憶された履歴情報等に基づき判断し、今回初めて表示する測定情報と、前回以前に表示済みの測定情報と、を識別可能となるように表示形式を変更する。
【０１６２】
なお、図１１に示す例では、種別選択ボタン１２０Ｂとして、血糖ボタン１２４Ａ、血圧ボタン１２４Ｂ、活動ボタン１２４Ｃ及び体重ボタン１２４Ｄがあり、これらの測定情報及び目標情報をグラフ等により確認できるが、この他に、体温計９３やパルスオキシメータ９５の測定情報及び目標情報を確認できるようにしてもよい。
【０１６３】
ＩＩ．２４Ｈ表示画面
図１２は、表示情報選択メニューバー７５のうち２４Ｈボタン７５Ｂが選択された場合の測定情報表示画面７１を示す。測定情報表示領域７６には、所定期間（図１２では１日間、７日間、３０日間、９０日間、１８０日間又は３６０日間を任意に設定可能）における時間帯別の測定情報が表示されている。つまり、制御部１５は、所定期間における測定装置３の測定情報を、測定時刻に基づき、０：００〜２４：００までの２４時間内で時間帯別に表示部１７に表示する。
【０１６４】
具体的に、測定情報表示領域７６には、表示された測定情報の測定期間を示す期間情報表示領域１２８Ａと、表示させる測定情報の種別を選択可能な種別選択ボタン１２８Ｂと、この種別選択ボタン１２８Ｂにより選択された測定情報を、０：００〜２４：００までの２４時間を横軸にとってグラフ表示するグラフ表示領域１２８Ｃと、単位時間当たりの平均値、標準偏差、測定回数等を表示する測定情報詳細表示領域１２８Ｄと、新たに取得した測定情報とそれ以前に既に取得済みの測定情報とを識別可能にする最新データボタン１２８Ｅと、が設けられている。
【０１６５】
期間情報表示領域１２８Ａには、グラフ表示領域１２８Ｃに表示するグラフの開始時期を、操作部１８を介して設定可能な開始時期設定欄１２９と、グラフの終了時期を、操作部１８を介して設定可能な終了時期設定欄１３０と、操作部１８により開始時期設定欄１２９及び終了時期設定欄１３０に入力された日付に基づき、制御部１５により算出された表示期間を表示する期間表示領域１３１と、が設けられている。
【０１６６】
図１２に示す種別選択ボタン１２８Ｂには、血糖ボタン１３２Ａのみが設けられているが、血圧ボタンや活動ボタン等の別の測定装置３の時間帯別の測定情報を表示可能な構成とすることもできる。したがって、操作部１８の操作により、種別選択ボタン１２８Ｂのいずれかのボタン（図１２に示す例では血糖ボタン１３２Ａのみ）が選択されると、制御部１５は、グラフ表示領域１２８Ｃ及び測定情報詳細表示領域１２８Ｄに、時間帯別の測定情報を表示する。以下、図１２に示す血糖値の時間帯別の測定情報の表示に関して、例示説明する。
【０１６７】
制御部１５は、ハードディスクドライブ１６ｃから読み出した血糖データベースから、測定日時に基づいて、開始時期設定欄１２９及び終了時期設定欄１３０に表示された開始日付から終了日付までの血糖値を抽出し、時間帯別にプロットして散布図を生成し、生成した散布図をグラフ表示領域１２８Ｃに表示する。
【０１６８】
また、制御部１５は、ハードディスクドライブ１６ｃから読み出した血糖データベースから、測定日時に基づいて、開始時期設定欄１２９及び終了時期設定欄１３０に表示された開始日付から終了日付までの血糖値を１時間ごとに抽出し、抽出した１時間ごとの食前血糖値の平均値、食前血糖値の標準偏差、食後血糖値の平均値、食後血糖値の標準偏差、測定回数、及び低血糖回数を算出し、測定情報詳細表示領域１２８Ｄに表示する。なお、図１２は、測定情報詳細表示領域１２８Ｄに表示される数値を省略して描いている。また、図１２の測定情報詳細表示領域１２８Ｄでは、標準偏差を「ＳＤ」（Standard Deviationの略）と表記している。
【０１６９】
最新データボタン１２８Ｅは、図１１に示す最新データボタン１２０Ｄと同様であるため、ここでは説明を省略する。
【０１７０】
なお、図１２に示すグラフ表示領域１２８Ｃにおいても、図９や図１１に示す例と同様、食前及び食後の血糖値の測定情報と、測定情報に関する目標情報と、が併せて表示されている。換言すれば、制御部１５は、所定期間内での測定情報を時間帯別に示すグラフと共に、その測定情報の目標情報を表示部１７に表示する。目標情報の表示形式については、図９や図１１に示す例と同様である。
【０１７１】
ＩＩＩ．平均表示画面
図１３は、表示情報選択メニューバー７５のうち平均ボタン７５Ｃが選択された場合の測定情報表示画面７１を示す。測定情報表示領域７６には、所定期間における測定情報の平均値が表示される。
【０１７２】
測定情報表示領域７６には、表示された測定情報の測定期間を示す期間情報表示領域１３３Ａと、表示させる測定情報の種別を選択可能な種別選択ボタン１３３Ｂと、この種別選択ボタン１３３Ｂにより選択された測定情報の平均値を算出する単位期間を選択可能な単位期間選択ボタン１３３Ｃと、単位期間別の測定情報の平均値をグラフ表示するグラフ表示領域１３３Ｄと、単位期間当たりの平均値、標準偏差、測定回数等を表示する測定情報詳細表示領域１３３Ｅと、グラフ表示領域１３３Ｄに表示する測定情報の時間帯区分を選択可能な時間帯選択ボックス１３３Ｆと、新たに取得した測定情報とそれ以前に既に取得済みの測定情報とを識別可能にする最新データボタン１３３Ｇと、が設けられている。なお、時間帯選択ボックス１３３Ｆは、時間帯区分テーブル５４（図４参照）に基づいて測定情報が区分される血糖計９０及び血圧計９１の場合には表示されるが、時間帯区分テーブル５４に基づかない測定装置３の測定情報の場合には表示されない。
【０１７３】
期間情報表示領域１３３Ａには、グラフ表示領域１３３Ｄに表示するグラフの開始時期を、操作部１８を介して設定可能な開始時期設定欄１３４と、グラフの終了時期を、操作部１８を介して設定可能な終了時期設定欄１３５と、操作部１８により開始時期設定欄１３４及び終了時期設定欄１３５に入力された日付に基づき、制御部１５により算出された表示期間を表示する期間表示領域１３６と、が設けられている。
【０１７４】
図１３に示す種別選択ボタン１３３Ｂには、血糖ボタン１３７Ａと、血圧ボタン１３７Ｂとが設けられている。したがって、操作部１８の操作により、種別選択ボタン１３３Ｂのいずれかのボタン（図１３に示す例では血糖ボタン１３７Ａ）が選択されると、制御部１５は、グラフ表示領域１３３Ｄ及び測定情報詳細表示領域１３３Ｅに、測定情報を表示する。以下、血糖ボタン１３７Ａが選択された図１３に示す例を説明する。
【０１７５】
単位期間選択ボタン１３３Ｃには、月ボタン１３８Ａ、週ボタン１３８Ｂ、曜日ボタン１３８Ｃ、および時間帯ボタン１３８Ｄが設けられており、操作部１８の操作を介していずれか１つのボタンが選択可能である。なお、制御部１５は、単位期間選択ボタン１３３Ｃで選択されたボタンに応じて、上述した期間情報表示領域１３３Ａの期間表示領域１３６の表示を変更する。具体的に、単位期間選択ボタン１３３Ｃで月ボタン１３８Ａが選択されると、期間表示領域１３６の表示形式を「月」単位とし、単位期間選択ボタン１３３Ｃで週ボタン１３８Ｂが選択されると、期間表示領域１３６の表示形式を「週」単位とする。
【０１７６】
時間帯選択ボックス１３３Ｆには、全時間帯を選択可能な全てボックス１３９Ａと、深夜を選択可能な深夜ボックス１３９Ｂと、朝を選択可能な朝ボックス１３９Ｃと、昼を選択可能な昼ボックス１３９Ｄと、夕方を選択可能な夕ボックス１３９Ｅと、就寝前を選択可能な寝前ボックス１３９Ｆと、が設けられている。
【０１７７】
制御部１５は、期間情報表示領域１３３Ａに表示された期間で、かつ、時間帯選択ボックス１３３Ｆにチェックされた時間帯区分（図１３では全てボックス１３９Ａが選択されている）の血糖値の測定情報を血糖データベースから、測定日時を基に、単位期間選択ボタン１３３Ｃで選択された単位期間ごとに抽出する。
【０１７８】
なお、血糖計９０の測定情報の場合には、ハードディスクドライブ１６ｃに記憶されている血糖データベースのうち時間帯区分テーブル５４の「深夜」に区分された測定情報が、深夜ボックス１３９Ｂを選択することにより抽出可能となっている。また、血糖データベースのうち時間帯区分テーブル５４の「朝食前」及び「朝食後」に区分された測定情報が、朝ボックス１３９Ｃを選択することにより抽出可能となっている。更に、血糖データベースのうち時間帯区分テーブル５４の「昼食前」及び「昼食後」に区分された測定情報が、昼ボックス１３９Ｄを選択することにより抽出可能であり、「夕食前」及び「夕食後」に区分された測定情報が、夕ボックス１３９Ｅを選択することにより抽出可能である。また更に、血糖データベースのうち時間帯区分テーブル５４の「就寝前」に区分された測定情報が、寝前ボックス１３９Ｆを選択することにより抽出可能である。
【０１７９】
制御部１５は、期間情報表示領域１３３Ａに表示された期間で、かつ時間帯選択ボックス１３３Ｆにチェックされた時間帯区分（図１３では全てボックス１３９Ａが選択されている）の血糖値の測定情報を血糖データベースから、測定日時を基に、単位期間選択ボタン１３３Ｃで選択された単位期間（図１３では週ボタン１３８Ｂが選択されている）ごとに抽出し、単位期間ごとの測定情報の平均値を算出し、単位期間ごとの平均値を示したグラフを生成し、グラフ表示領域１３３Ｄに表示する。
【０１８０】
更に、制御部１５は、単位期間ごとの平均値、標準偏差、最大値、最小値、測定回数、低血糖回数を算出し、測定情報詳細表示領域１３３Ｅに表示する。また、図１３に示す例では、血糖値の測定情報に加えて、単位期間ごとの歩行強度計９４の歩数の測定情報と、体組成計９２の体重の測定情報と、を測定情報詳細表示領域１３３Ｅに併せて表示している。なお、図１３に示す測定情報詳細表示領域１３３Ｅは、具体的な数値を省略して描いている。また、図１３の測定情報詳細表示領域１３３Ｅでは、標準偏差を「ＳＤ」（Standard Deviationの略）と表記している。
【０１８１】
なお、図１３に示すグラフ表示領域１３３Ｄでは、単位期間ごとの食前血糖値の平均値を表す点を結ぶことにより形成された食前血糖値の平均折れ線グラフ１４０Ａと、単位期間ごとの食後血糖値の平均値を表す点を結ぶことにより形成された食後血糖値の平均折れ線グラフ１４０Ｂと、が表示されている。なお、各単位期間における平均値を表す点の上下に延在する線は、各単位期間における標準偏差を示している。
【０１８２】
最新データボタン１３３Ｇは、図１１に示す最新データボタン１２０Ｄと同様であるため、ここでは説明を省略する。
【０１８３】
なお、図１３に示すグラフ表示領域１３３Ｄにおいても、図９や図１１等に示す例と同様、食前及び食後の血糖値の測定情報である平均値等と、食前及び食後の血糖値の目標情報と、が併せて表示されている。換言すれば、制御部１５は、単位期間ごとの測定情報の平均値を示すグラフと共に、その測定情報の目標情報を表示部１７に表示する。目標情報の表示形式については、図９や図１１等に示す例と同様である。
【０１８４】
また、図１４は、単位期間選択ボタン１３３Ｃの時間帯ボタン１３８Ｄが選択された状態を示している。月ボタン１３８Ａ、週ボタン１３８Ｂ及び曜日ボタン１３８Ｃのいずれかが選択された場合には、図１３と同様、食前血糖値の単位期間ごとの平均値を示した折れ線グラフと、食後血糖値の単位期間ごとの平均値を示した折れ線グラフとの２つのグラフが表示されるが、時間帯ボタン１３８Ｄが選択された場合には、両方を１つのグラフに纏めて表示するようになっている。つまり制御部１５は、単位期間選択ボタン１３３Ｃの選択結果に応じて表示するグラフ形式を変更する。なお、単位期間選択ボタン１３３Ｃの時間帯ボタン１３８Ｄが選択され、図１４の画面が表示された場合には、図１３に示す時間帯選択ボックス１３３Ｆの表示は不要となるため、表示部１７に表示されなくなる。
【０１８５】
図１４に示すグラフ表示領域１３３Ｄでは、単位期間として時間帯区分テーブル５４上の区分が表示される。すなわち、制御部１５は、期間情報表示領域１３３Ａに表示された期間での、時間帯区分テーブル５４上の区分ごとの平均値を示すグラフを表示領域１３３Ｄに表示する。
【０１８６】
なお、図１４に示す例においても、図１３等に示す例と同様、食前及び食後の血糖値の測定情報の平均値等と、食前及び食後の血糖値の目標情報と、が併せて表示されている。換言すれば、制御部１５は、単位期間ごとの測定情報の平均値を示すグラフと共に、その測定情報の目標情報を表示部１７に表示する。
【０１８７】
ここで、図１４に示す例では、食前の血糖値の目標範囲である８０［ｍｇ／ｄＬ］以上、かつ、１３０［ｍｇ／ｄＬ］未満が、他の部分と背景を異なる色にすることにより強調されていると共に、食後の血糖値の目標範囲である８０［ｍｇ／ｄＬ］以上、かつ、１８０［ｍｇ／ｄＬ］未満についても、食前の血糖値の目標範囲と同様、他の部分と背景を異なる色にすることにより強調されている。つまり、制御部１５は、単位期間選択ボタン１３３Ｃの選択結果に応じて、測定情報に関する目標情報の表示形式を変更する。
【０１８８】
他の点は上述した図１３に示す例と同様であるため、ここでは説明を省略する。
【０１８９】
図１５は、図１３に示す種別選択ボタン１３３Ｂの血圧ボタン１３７Ｂが選択された場合の表示画面を示すものである。以下、血圧ボタン１３７Ｂが選択された図１５に示す例を説明する。
【０１９０】
期間情報表示領域１３３Ａは、図１３に示す例と同じである。図１５に示す単位期間選択ボタン１３３Ｃには、月ボタン１３８Ａのみが設けられているが、図１３のように、週ボタン１３８Ｂ、曜日ボタン１３８Ｃ、および時間帯ボタン１３８Ｄを設けることも可能である。図１５では、操作部１８の操作により月ボタン１３８Ａが選択されている。
【０１９１】
制御部１５は、期間情報表示領域１３３Ａに表示された期間（図１５に示す例では１年間）において、血圧の測定日時を基に、単位期間としての１カ月ごとの血圧の測定情報を血圧データベースから抽出し、１カ月ごとの最高血圧及び最低血圧の測定情報の平均値、並びに１カ月ごとの最高血圧及び最低血圧の標準偏差を算出し、１カ月ごとの平均最高血圧、平均最低血圧、最高血圧の標準偏差、及び最低血圧の標準偏差を示したグラフを生成し、グラフ表示領域１３３Ｄに表示する。なお、制御部１５は、時間帯区分テーブル５４（図４参照）に基づき、１カ月ごとの朝血圧の平均最高血圧、平均最低血圧、最高血圧の標準偏差、及び最低血圧の標準偏差と、１カ月ごとの夜血圧の平均最高血圧、平均最低血圧、最高血圧の標準偏差、及び最低血圧の標準偏差と、を算出し、これらを１つに纏めたグラフを生成し、グラフ表示領域１３３Ｄにグラフ表示する。
【０１９２】
図１５に示すグラフ表示領域１３３Ｄには、朝血圧及び夜血圧のそれぞれに関して、１カ月ごとの平均最高血圧及び平均最低血圧が表示されている。なお、ここで言う朝血圧とは、時間帯区分テーブル５４上の時間帯区分「朝血圧」を意味し、夜血圧とは、時間帯区分テーブル５４上の時間帯区分「夜血圧」を意味している。したがって、制御部１５は、期間情報表示領域１３３Ａに表示された期間（図１５に示す例では１年間）において、血圧の測定日時を基に、単位期間としての１カ月ごとの血圧の測定情報を血圧データベースから抽出すると共に、測定情報に関連付けられた時間帯区分テーブル５４上の時間帯区分に基づき「朝血圧」と「夜血圧」とを区分けする。
【０１９３】
ここで、朝血圧の平均最高血圧及び平均最低血圧を示す朝血圧要素１４１Ａでは、上端が１カ月間の平均最高血圧を示し、下端が１カ月間の平均最低血圧を示している。また、夜血圧の平均最高血圧及び平均最低血圧を示す夜血圧要素１４１Ｂでは、上端が１カ月間の平均最高血圧を示し、下端が１カ月間の平均最低血圧を示している。
【０１９４】
更に、朝血圧要素１４１Ａの上端を中心として上下に延在する上側棒要素１４２Ａは、朝血圧の１カ月間の最高血圧の標準偏差を示しており、朝血圧要素１４１Ａの下端を中心として上下に延在する下側棒要素１４２Ｂは、朝血圧の１カ月間の最低血圧の標準偏差を示している。
【０１９５】
また、夜血圧要素１４１Ｂの上端を中心として上下に延在する上側棒要素１４３Ａは、夜血圧の１カ月間の最高血圧の標準偏差を示しており、夜血圧要素１４１Ｂの下端を中心として上下に延在する下側棒要素１４３Ｂは、夜血圧の１カ月間の最低血圧の標準偏差を示している。
【０１９６】
更に、グラフ表示領域１３３Ｄでは、１カ月間の平均最高血圧が、隣り合う別の月の平均最高血圧と線で結ばれている。同様に、グラフ表示領域１３３Ｄでは、１カ月間の平均最低血圧が、隣り合う別の月の平均最低血圧と線で結ばれている。これにより、１カ月間の平均最高血圧及び平均最低血圧の推移を容易に把握することができる。
【０１９７】
また更に、制御部１５は、最高血圧の目標値（図１５では１３５［ｍｍＨｇ］未満）及び最低血圧の目標値（図１５では８５［ｍｍＨｇ］未満）を、測定情報である血圧の平均値と併せて表示する。具体的に、グラフ表示領域１３３Ｄにおける血圧を示す縦軸には、上記閾値「１３５」及び「８５」が表示されていると共に、測定情報の平均値がこれら閾値に対して高いか低いかを容易に判断できるように、これら閾値となる血圧が、グラフ中に破線により示されている。
【０１９８】
更に、制御部１５は、１カ月ごとの平均最高血圧、平均最低血圧、最高血圧の標準偏差、最低血圧の標準偏差、及び測定回数を算出し、測定情報詳細表示領域１３３Ｅに表示する。また、図１５に示す例では、図１３に示す例と同様、血圧の測定情報に加えて、単位期間としての１カ月ごとの歩行強度計９４の歩数の測定情報と、体組成計９２の体重の測定情報と、を測定情報詳細表示領域１３３Ｅに併せて表示している。なお、図１５に示す測定情報詳細表示領域１３３Ｅは、具体的な数値を省略して描いている。また、図１５の測定情報詳細表示領域１３３Ｅにおける「ＳＤ」は標準偏差を意味している。
【０１９９】
ＩＶ．データノート表示画面
図１６は、表示情報選択メニューバー７５のうちデータノートボタン７５Ｄが選択された場合の測定情報表示画面７１を示す。測定情報表示領域７６には、所定期間における測定情報の全情報が一覧で表示される。
【０２００】
測定情報表示領域７６には、表示された測定情報の測定期間を示す期間情報表示領域１４４Ａと、表示させる測定情報の種別を選択可能な種別選択ボタン１４４Ｂと、期間情報表示領域１４４Ａに表示された所定期間において、種別選択ボタン１４４Ｂにより選択された測定情報の一覧を表示する測定情報一覧表示領域１４４Ｃと、この測定情報一覧表示領域１４４Ｃにおいて目標値を満足しない測定情報のみを強調して表示させることができる目標範囲外強調ボタン１４４Ｄと、新たに取得した測定情報とそれ以前に既に取得済みの測定情報とを識別可能にする最新データボタン１４４Ｅと、が設けられている。
【０２０１】
測定情報一覧表示領域１４４Ｃでは、操作部１８の操作により、測定情報を新規に挿入することや変更、削除することができる。つまり、操作部１８の操作により測定情報一覧表示領域１４４Ｃの所定の項目が選択されると、制御部１５は、まず、操作部１８により測定情報の変更等を可能にするウィンドウ１４５を表示部１７に表示する。そして、操作部１８の操作により、ウィンドウ１４５において測定情報が変更等されると、制御部１５は、その変更された情報をハードディスクドライブ１６ｃ等の記憶部１６に記憶させる。
【０２０２】
なお、図１６では、説明の便宜上、２つの異なる画面を示している。具体的に、図１６の左側は、種別選択ボタン１４４Ｂにおける血糖ボタン１４６Ａが選択され、期間情報表示領域１４４Ａに表示された所定期間（図１６では２８日間）における全ての血糖計９０の測定情報が表示された画面を示す。また、図１６の右側は、種別選択ボタン１４４Ｂにおける活動ボタン１４６Ｂが選択され、期間情報表示領域１４４Ａに表示された所定期間（図１６では２８日間）における全ての歩行強度計９４の測定情報が表示された画面を示す。
【０２０３】
また、制御部１５は、操作部１８の操作により目標範囲外強調ボタン１４４Ｄが選択されると、測定情報一覧表示領域１４４Ｃに表示されている測定情報のうち、目標情報に合致しない測定情報を検索し、その検索結果に基づき、背景色を変更する制御を行う。これにより、目標情報を満足しない測定情報を強調して表示することが可能となる。なお、最新データボタン１４４Ｅについては、図１１に示す最新データボタン１２０Ｄと同様であるため、ここでは説明を省略する。
【０２０４】
なお、本発明に係る情報管理装置及び情報管理方法は、上述した実施形態の構成に限定されるものではなく、特許請求の範囲で記載された内容を逸脱しない範囲で、様々な構成により実現することが可能である。例えば、上述した情報管理装置１は、記憶部１６を備え、この記憶部１６に患者データベース、測定装置データベース、目標情報、情報管理プログラム等を記憶しているが、例えば、情報管理装置とは別のサーバー等の記憶装置にこれら情報を記憶しておき、情報管理装置の通信部を通じて記憶装置と通信することにより、これらの情報を取得及び使用するようにしてもよい。また、上述した情報管理装置１は、表示部１７を備え、この表示部１７に測定情報、目標情報及び達成度情報を表示するものであるが、例えば、情報管理装置の通信部を介して、情報管理装置とは別の表示装置に、表示させたい情報を送信し、表示装置において測定情報、目標情報及び達成度情報を表示させるようにしてもよい。
【０２０５】
更に、上述した情報管理装置１では、通信部１９として、外部接続インターフェイス２０に接続され、測定装置３や情報記憶装置４と近距離通信可能な通信装置としてのリーダ／ライタ装置を使用しているが、これに限られるものではなく、情報管理装置自体が測定装置３や情報記憶装置４と通信可能な通信部を有する構成としてもよい。
【０２０６】
また、上述した情報管理装置１として機能させるために、コンピュータを好適に用いることができ、そのようなコンピュータは、情報管理装置１の各機能を実現する処理内容を記述した情報管理プログラムを該コンピュータの記憶部１６に格納しておき、該コンピュータの制御部１５によってこの情報管理プログラムを読み出して実行させることで実現することができる。すなわち、この情報管理プログラムは、コンピュータを、生体情報又は生体の活動情報を測定する測定装置の測定情報を取得する取得手段、測定情報及び測定情報に関する目標情報に基づく達成度情報を導出する導出手段、及び測定情報、目標情報、及び達成度情報を併せて表示部に表示する表示手段、として機能させるものである。
【０２０７】
また、上述の取得手段、導出手段及び表示手段に加えて、このコンピュータを、測定装置の測定情報と目標情報とからグラフを生成するグラフ生成手段として機能させる情報管理プログラムとしてもよい。更に、このコンピュータを、取得した測定情報、目標情報、達成度情報等を記憶部に保存させる記憶手段として機能させる情報管理プログラムとしてもよい。また更に、このコンピュータを、取得した測定情報、目標情報、達成度情報等を外部の記憶装置に記憶させるため、記憶装置に記憶指示情報を送信する送信手段として機能させる情報管理プログラムとしてもよい。また、このコンピュータを、取得した測定情報、目標情報、達成度情報等を外部の表示装置に表示させるため、外部の表示装置に表示指示情報を送信する送信手段として機能させる情報管理プログラムとしてもよい。
【０２０８】
なお、これらの情報管理プログラムは、コンピュータ読取り可能な記録媒体に記録可能である。また、この情報管理プログラムを、ネットワークを通じてコンピュータに提供するようにすることも可能である。
【産業上の利用可能性】
【０２０９】
本発明は、情報管理装置、情報管理方法及び情報管理プログラムに関するものである。
【符号の説明】
【０２１０】
１：情報管理装置
２：プリンタ
３：測定装置
４：情報記憶装置
５：測定装置の測定部
６：測定装置の記憶部
７：測定装置の通信部
８：測定装置の表示部
９：測定装置の制御部
１０：情報記憶装置の通信部
１１：情報記憶装置の記憶部
１２：情報記憶装置の表示部
１３：情報記憶装置の制御部
１４：情報記憶装置の時計部
１５：情報管理装置の制御部
１６：情報管理装置の記憶部
１６ａ：ＲＯＭ
１６ｂ：ＲＡＭ
１６ｃ：ハードディスクドライブ
１７：情報管理装置の表示部
１８：情報管理装置の操作部
１９：情報管理装置の通信部（取得部）
２０：情報管理装置の外部接続インターフェイス
２１：情報管理装置の時計部
３０：患者情報表示領域
３１：登録情報削除ボタン
３２：メニューバー
３３：登録情報表示領域
３４：終了ボタン
３５：登録情報表示画面
３６：血糖目標値表示領域
３７：回数目標値欄
３８：食前血糖目標値欄
３９：食後血糖目標値欄
４０：目標値種別選択欄
４１：活動量目標値表示領域
４２：歩数目標値欄
４３：活動強度レベル選択欄
４４：活動時間目標値欄
４５：参照表示欄
４６：目標値種別選択欄
４７：血圧目標値表示領域
４８：最高血圧目標値欄
４９：最低血圧目標値欄
５０：目標値種別選択欄
５１：体重目標値表示領域
５２：体重目標値欄
５３：目標値種別選択欄
５４：時間帯区分テーブル
５５：休日設定選択ボックス
５６：目標値種別選択欄
５７、６９：保存ボタン
５８：測定装置一覧
５９：ＱＣ履歴表示ボタン
６０：登録削除ボタン
６１：動作指示表示領域
６３：機器一覧
６４：詳細情報表示領域
６５：機器設定ボタン
６６：貸出／解除ボタン
６７：印刷ボタン
６８：登録削除ボタン
７０：設定送信ボタン
７１：測定情報表示画面
７２：基本メニューバー
７３：患者情報表示領域
７４：終了ボタン
７５：表示情報選択メニューバー
７５Ａ：トレンドボタン
７５Ｂ：２４Ｈボタン
７５Ｃ：平均ボタン
７５Ｄ：データノートボタン
７５Ｅ：サマリーノートボタン
７６：測定情報表示領域
７７：登録情報ボタン
７８：目標値編集ボタン
７９：患者ボタン
８０：機器ボタン
８１：サーバーボタン
８２：ＮＦＣ開始ボタン
８３：ログアウトボタン
８４：印刷ボタン
８５：期間情報表示領域
８６：種別選択ボタン
８６Ａ：血糖ボタン
８６Ｂ：活動ボタン
８７：グラフ表示領域
８８：達成度情報表示領域
８８Ａ：目標項目表示領域
８８Ｂ：達成度表示領域
８８Ｃ：基礎情報表示領域
８８Ｄ：図形表示領域
８９：機器管理画面
９０：血糖計
９１：血圧計
９２：体組成計
９３：体温計
９４：歩行強度計
９５：パルスオキシメータ
９６：表示機器種別選択欄
９７：個別機器詳細画面
９８：動作指示画面
９９：機器設定変更画面
１００：情報管理システム
１２０Ａ、１２８Ａ、１３３Ａ、１４４Ａ：期間情報表示領域
１２０Ｂ、１２８Ｂ、１３３Ｂ、１４４Ｂ：種別選択ボタン
１２０Ｃ、１２８Ｃ、１３３Ｄ：グラフ表示領域
１２０Ｄ、１２８Ｅ、１３３Ｇ、１４４Ｅ：最新データボタン
１２１、１２９、１３４：開始時期設定欄
１２２、１３０、１３５：終了時期設定欄
１２３、１３１、１３６：期間表示領域
１２４Ａ：血糖ボタン
１２４Ｂ：血圧ボタン
１２４Ｃ：活動ボタン
１２４Ｄ：体重ボタン
１２５Ａ：血糖値グラフ領域
１２５Ｂ：活動量グラフ領域
１２５Ｃ：血圧グラフ領域
１２６Ａ：朝血圧要素
１２６Ｂ：夜血圧要素
１２７：ポップアップ
１２８Ｄ、１３３Ｅ：測定情報詳細表示領域
１３２Ａ：血糖ボタン
１３３Ｃ：単位期間選択ボタン
１３３Ｆ：時間帯選択ボックス
１３７Ａ、１３７Ｂ、１３８Ａ〜１３８Ｄ：各種ボタン
１３９Ａ〜１３９Ｆ：各種ボックス
１４０Ａ：食前血糖値の平均折れ線グラフ
１４０Ｂ：食後血糖値の平均折れ線グラフ
１４１Ａ：朝血圧要素
１４１Ｂ：夜血圧要素
１４２Ａ、１４３Ａ：上側棒要素
１４２Ｂ、１４３Ｂ：下側棒要素
１４４Ｃ：測定情報一覧表示領域
１４４Ｄ：目標範囲外強調ボタン
１４５：ウィンドウ
１４６Ａ：血糖ボタン
１４６Ｂ：活動ボタン
１５０：測定装置の操作部
１５１：測定装置の時計部
【図１】
0006518105.tif 000002
【図２】
0006518105.tif 000003
【図３】
0006518105.tif 000004
【図４】
0006518105.tif 000005
【図５】
0006518105.tif 000006
【図６】
0006518105.tif 000007
【図７】
0006518105.tif 000008
【図８Ａ】
0006518105.tif 000009
【図８Ｂ】
0006518105.tif 000010
【図９】
0006518105.tif 000011
【図１０】
0006518105.tif 000012
【図１１】
0006518105.tif 000013
【図１２】
0006518105.tif 000014
【図１３】
0006518105.tif 000015
【図１４】
0006518105.tif 000016
【図１５】
0006518105.tif 000017
【図１６】
0006518105.tif 000018
【図１７】
0006518105.tif 000019